(57)【要約】【課題】使用可能なキャリア周波数が異なる複数の制御局と、従属局との無線通信を、支障をきたすことなく行うこと。【解決手段】第1の制御局として動作するコードレス電話親機１００は、第１の制御信号を送信し、使用可能なキャリア周波数を報知する。第２の制御局として動作するドアホン親機３００は、第１の制御信号に同期し第２の制御信号を送信し、使用可能なキャリア周波数を報知する。無線子機２００は、ドアホン親機３００で使用可能なキャリア周波数をコードレス電話親機１００に通知し、コードレス電話親機１００は、無線子機２００から通知されたドアホン親機３００で使用可能なキャリア周波数を用いて第１の制御信号を送信する。【選択図】図１
2020065182.tif 000002
【特許請求の範囲】
【請求項１】
第１の制御局、第２の制御局および従属局で構成され、各装置間で互いに、第１のキャリア周波数群または第２のキャリア周波数群に属するキャリア周波数を用いて時分割多重通信による無線通信を行う無線通信システムであって、
前記第１のキャリア周波数群は、少なくとも１つのキャリア周波数で構成され、
前記第２のキャリア周波数群は、前記第１のキャリア周波数群に属するキャリア周波数を除く、少なくとも１つのキャリア周波数で構成され、
前記第１の制御局は、
前記第２のキャリア周波数群に属するキャリア周波数での通信が可能か否かを示す情報を含む第１の制御信号を報知し、
前記第２の制御局は、
前記第１の制御信号を受信し、前記第１の制御局に同期して動作し、前記第２のキャリア周波数群に属するキャリア周波数での通信が可能か否かを示す情報を含む第２の制御信号を報知し、
前記従属局は、
前記第１の制御信号を受信し、前記第１の制御局に同期して動作すると共に、前記第２の制御信号を受信し、前記第２の制御局に同期して動作し、
前記第１の制御信号で前記第２のキャリア周波数群に属するキャリア周波数での通信が可能であることが報知され、かつ、前記第２の制御信号で前記第２のキャリア周波数群に属するキャリア周波数での通信が可能でないことが報知された場合、前記第１の制御局に前記第２のキャリア周波数群に属するキャリア周波数での通信が可能でないことを示す情報を含む第３の制御信号を前記第１の制御局に送信し、
前記第１の制御局は、
前記従属局より前記第３の制御信号を受信すると、前記第１のキャリア周波数群に属するキャリア周波数を使用して前記第１の制御信号を送信する、
無線通信システム。
【請求項２】
前記従属局は、前記第１の制御局と前記第２の制御局に登録されると、前記第１の制御局の識別情報を前記第２の制御局に通知し、
前記第２の制御局は、前記従属局から前記識別情報を通知されると、前記第１の制御信号を受信し、前記第１の制御局に同期して動作する、
請求項１に記載の無線通信システム。
【請求項３】
第１の制御局、第２の制御局および従属局で構成され、各装置間で互いに、第１のキャリア周波数群または第２のキャリア周波数群に属するキャリア周波数を用いて時分割多重通信による無線通信を行う無線通信システムであって、
前記第１のキャリア周波数群は、少なくとも１つのキャリア周波数で構成され、
前記第２のキャリア周波数群は、前記第１のキャリア周波数群に属するキャリア周波数を除く、少なくとも１つのキャリア周波数で構成され、
前記第１の制御局は、
前記第２のキャリア周波数群に属するキャリア周波数での通信が可能か否かを示す情報を含む第１の制御信号を報知し、
前記第２の制御局は、
前記第１の制御信号を受信し、前記第１の制御局に同期して動作し、
前記第１の制御信号で前記第２のキャリア周波数群に属するキャリア周波数での通信が可能であることを報知された場合、前記第１のキャリア周波数群、及び、前記第２のキャリア周波数群に属するキャリア周波数を使用して前記第１の制御局との通信を行い、
前記第１の制御信号で前記第２のキャリア周波数群に属するキャリア周波数での通信が可能でないことを報知された場合、前記第１のキャリア周波数群に属するキャリア周波数を使用して前記第１の制御局との通信を行い、
前記第２のキャリア周波数群に属するキャリア周波数での通信が可能な前記従属局が登録された場合、前記第１のキャリア周波数群、及び、前記第２のキャリア周波数群に属するいずれかのキャリア周波数を使用して第２の制御信号を送信し、
前記第２のキャリア周波数群に属するキャリア周波数での通信が可能でない前記従属局が登録された場合、前記第１のキャリア周波数群に属するいずれかのキャリア周波数を使用して前記第２の制御信号を送信する、
無線通信システム。
【請求項４】
前記第２の制御局は、
前記従属局の登録モードが起動されると、前記第１のキャリア周波数群に属するいずれかのキャリア周波数を使用し前記第２の制御信号を送信する、
請求項３に記載の無線通信システム。
【発明の詳細な説明】
【技術分野】
【０００１】
本発明は、第１の制御局、第２の制御局および従属局で構成され、各装置間で互いに無線通信を行う無線通信システムに関する。
【背景技術】
【０００２】
近年、無線技術の発展がめざましく、時分割多重通信を用いたＤＥＣＴ（Digital Enhanced Cordless Telecommunications）（ＥＴＳＩ登録商標）方式の通信方式が提案され、全世界でＤＥＣＴ方式を使用した無線通信機器の普及が進んでいる。日本においても、ＤＥＣＴ方式の通信方式が認可され、その標準化（非特許文献１参照）が進められ、ＤＥＣＴ方式の時分割多重通信で動作するコードレス電話、無線ドアホンなどが商品化されている。
【０００３】
例えば、特許文献１では、時分割多重通信方式を使用した、コードレス電話、無線ドアホン、無線子機で構成された無線通信システムが開示されている。特許文献１記載の無線通信システムは、主制御局として動作するコードレス電話装置と副制御局として動作するドアホン装置と従属局として動作する無線子機で構成される。副制御局は、主制御局が送信する制御信号を受信し、主制御局とフレーム、スロットの同期をとり、制御信号を送信する。従属局は、待機中、主制御局から送信される制御信号と副制御局から送信される制御信号の両方を受信し、コードレス電話装置から通知される外線着信、ドアホン装置から通知される来客通知と画像情報を受信するよう動作する。これらの無線通信システムは、同じ無線通信方式で動作し、無線通信方式に応じて割り当てられたキャリア周波数の中から選択されたキャリア周波数を用いて制御信号の送信や各機器間の無線通信を行うことで、それぞれの通信を保障し、また、新旧モデルでの互換性が確保されていた。
【０００４】
このように、特許文献１に記載されたコードレス電話装置とドアホン装置のように異なるサービスを提供する無線通信機器が１つの無線通信システムとして動作するような無線通信システムでは、それぞれの無線通信機器が別々に販売され、使用者が、用途や値段を考慮して各無線通信機器の組合せを選択して、無線通信システムを構築していた。そして、無線通信機器毎に新しいモデルが発売されると、新しいモデルで対応された新機能を使用したい使用者は、その無線通信機器のみを買い替えていた。
【先行技術文献】
【特許文献】
【０００５】
【特許文献１】特開２００６−３５２４１１号公報
【非特許文献】
【０００６】
【非特許文献１】時分割多元接続方式広帯域デジタルコードレス電話の無線局の無線設備  標準規格ＡＲＩＢ  ＳＴＤ−Ｔ１０１  ２．０版
【発明の概要】
【発明が解決しようとする課題】
【０００７】
無線通信のキャリア周波数は、地域（国）毎に法律や規格で決められている。日本では、当初、ＤＥＣＴ方式のキャリア周波数として、１８９５．６１６ＭＨｚ、１８９７．３４４ＭＨｚ、１８９９．０７２ＭＨｚ、１９００．８ＭＨｚ、１９０２．５２８ＭＨｚの５つのキャリア周波数が割り当てられ、ＤＥＣＴ方式の無線通信機器の普及に伴い、１９０４．２５６ＭＨｚのキャリア周波数が新たに割り当てられた。そして、非特許文献１に示されるよう、それぞれのキャリア周波数に対し、表１に示すキャリア番号が割り当てられた。
【表１】
2020065182.tif 000003
【０００８】
そのため、日本のＤＥＣＴ方式のように途中で使用可能なキャリアが追加された場合、コードレス電話装置とドアホン装置のように異なるサービスを提供する無線通信機器が１つの無線通信システムとして動作するような無線通信システムでは、キャリア周波数の制御において追加されたキャリアに対応した機器と追加されたキャリアに対応していない機器の互換性によって、組合せの制限が発生し、無線通信システムを購入時の組合せの選択肢や無線通信システム内の機器の買い替え時の機器の選択肢を狭めていた。
【０００９】
本発明は、このような従来技術の改善を図るべく案出されたものであり、その主な目的は、第１の制御局、第２の制御局、従属局で構成される無線通信システムにおいて、それぞれで使用可能なキャリア周波数が異なっていても支障をきたすことなくシステム内の無線通信が可能な無線通信システムを提供することである。
【課題を解決するための手段】
【００１０】
本発明の一態様に係る無線通信システムは、第１の制御局、第２の制御局および従属局で構成され、各装置間で互いに、第１のキャリア周波数群または第２のキャリア周波数群に属するキャリア周波数を用いて時分割多重通信による無線通信を行う無線通信システムであって、前記第１のキャリア周波数群は、少なくとも１つのキャリア周波数で構成され、前記第２のキャリア周波数群は、前記第１のキャリア周波数群に属するキャリア周波数を除く、少なくとも１つのキャリア周波数で構成され、前記第１の制御局は、前記第２のキャリア周波数群に属するキャリア周波数での通信が可能か否かを示す情報を含む第１の制御信号を報知し、前記第２の制御局は、前記第１の制御信号を受信し、前記第１の制御局に同期して動作し、前記第２のキャリア周波数群に属するキャリア周波数での通信が可能か否かを示す情報を含む第２の制御信号を報知し、前記従属局は、前記第１の制御信号を受信し、前記第１の制御局に同期して動作すると共に、前記第２の制御信号を受信し、前記第２の制御局に同期して動作し、前記第１の制御信号で前記第２のキャリア周波数群に属するキャリア周波数での通信が可能であることが報知され、かつ、前記第２の制御信号で前記第２のキャリア周波数群に属するキャリア周波数での通信が可能でないことが報知された場合、前記第１の制御局に前記第２のキャリア周波数群に属するキャリア周波数での通信が可能でないことを示す情報を含む第３の制御信号を前記第１の制御局に送信し、前記第１の制御局は、前記従属局より前記第３の制御信号を受信すると、前記第１のキャリア周波数群に属するキャリア周波数を使用して前記第１の制御信号を送信する、構成とする。
【発明の効果】
【００１１】
本発明によれば、第１の制御局と第２の制御局が使用可能なキャリア周波数を報知し、第２の制御局で使用できないキャリア周波数を第１の制御局で使用できる場合、従属局が第１の制御局に使用できないキャリア周波数があることを通知し、第１の制御局は、使用できないことが通知されたキャリア周波数を用いて制御信号の送信を行わないようにしたので、第１の制御局と第２の制御局で使用可能なキャリア周波数が異なっていても支障をきたすことなく無線通信システム内の無線通信が可能となる。
【図面の簡単な説明】
【００１２】
【図１】第１実施形態における無線通信システムの構成を示す図
【図２】第１実施形態におけるコードレス電話親機の構成例を示すブロック図
【図３】第１実施形態における無線子機の構成例を示すブロック図
【図４】第１実施形態におけるドアホン親機の構成例を示すブロック図
【図５】第１実施形態における無線通信システムのコードレス電話親機の動作例を示すフローチャート
【図６】第１実施形態における無線通信システムの無線子機の動作例を示すフローチャート
【図７】第１実施形態における無線通信システムのドアホン親機の動作例を示すフローチャート
【図８】第１実施形態における無線通信システムのドアホン親機の無線子機登録動作の動作例を示すフローチャート
【図９】第１実施形態における無線通信システムのドアホン親機のコードレス電話登録動作の動作例を示すフローチャート
【図１０】第１実施形態における６キャリア対応のコードレス電話親機と無線子機、及び、５キャリア対応のドアホン親機による動作例を示すシーケンス図
【図１１】第１実施形態における６キャリア対応のコードレス電話親機とドアホン親機、及び、５キャリア対応の無線子機による動作例を示すシーケンス図
【発明を実施するための形態】
【００１３】
前記課題を解決するためになされた第１の発明の無線通信システムは、第１の制御局、第２の制御局および従属局で構成され、各装置間で互いに、第１のキャリア周波数群または第２のキャリア周波数群に属するキャリア周波数を用いて時分割多重通信による無線通信を行う無線通信システムであって、前記第１のキャリア周波数群は、少なくとも１つのキャリア周波数で構成され、前記第２のキャリア周波数群は、前記第１のキャリア周波数群に属するキャリア周波数を除く、少なくとも１つのキャリア周波数で構成され、前記第１の制御局は、前記第２のキャリア周波数群に属するキャリア周波数での通信が可能か否かを示す情報を含む第１の制御信号を報知し、前記第２の制御局は、前記第１の制御信号を受信し、前記第１の制御局に同期して動作し、前記第２のキャリア周波数群に属するキャリア周波数での通信が可能か否かを示す情報を含む第２の制御信号を報知し、前記従属局は、前記第１の制御信号を受信し、前記第１の制御局に同期して動作すると共に、前記第２の制御信号を受信し、前記第２の制御局に同期して動作し、前記第１の制御信号で前記第２のキャリア周波数群に属するキャリア周波数での通信が可能であることが報知され、かつ、前記第２の制御信号で前記第２のキャリア周波数群に属するキャリア周波数での通信が可能でないことが報知された場合、前記第１の制御局に前記第２のキャリア周波数群に属するキャリア周波数での通信が可能でないことを示す情報を含む第３の制御信号を前記第１の制御局に送信し、前記第１の制御局は、前記従属局より前記第３の制御信号を受信すると、前記第１のキャリア周波数群に属するキャリア周波数を使用して前記第１の制御信号を送信する、構成とする。
【００１４】
これによれば、第１の制御局と第２の制御局が使用可能なキャリア周波数を報知し、第１の制御局で、第２の制御局で使用できないキャリア周波数を使用できる場合、従属局が第１の制御局に使用できないキャリア周波数があることを通知し、第１の制御局は、使用できないことが通知されたキャリア周波数を用いて制御信号の送信を行わないようにしたので、第１の制御局と第２の制御局で使用可能なキャリア周波数が異なっていても支障をきたすことなく無線通信システム内の無線通信が可能となる。
【００１５】
前記課題を解決するためになされた第２の発明の前記従属局は、前記第１の制御局と前記第２の制御局に登録されると、前記第１の制御局の識別情報を前記第２の制御局に通知し、前記第２の制御局は、前記従属局から前記識別情報を通知されると、前記第１の制御信号を受信し、前記第１の制御局に同期して動作する、構成とする。
【００１６】
これによれば、従属局が第１の制御局の識別情報を第２の制御局に通知し、第２の制御局は、従属局から通知された識別情報に基づいて第１の制御局との同期を確立できるので、ユーザー操作で第１の制御局と第２の制御局間の関連付けを行う必要が無くなくなり、利便性を向上させることができる。
【００１７】
前記課題を解決するためになされた第３の発明の無線通信システムは、第１の制御局、第２の制御局および従属局で構成され、各装置間で互いに、第１のキャリア周波数群または第２のキャリア周波数群に属するキャリア周波数を用いて時分割多重通信による無線通信を行う無線通信システムであって、前記第１のキャリア周波数群は、少なくとも１つのキャリア周波数で構成され、前記第２のキャリア周波数群は、前記第１のキャリア周波数群に属するキャリア周波数を除く、少なくとも１つのキャリア周波数で構成され、前記第１の制御局は、前記第２のキャリア周波数群に属するキャリア周波数での通信が可能か否かを示す情報を含む第１の制御信号を報知し、前記第２の制御局は、前記第１の制御信号を受信し、前記第１の制御局に同期して動作し、前記第１の制御信号で前記第２のキャリア周波数群に属するキャリア周波数での通信が可能であることを報知された場合、前記第１のキャリア周波数群、及び、前記第２のキャリア周波数群に属するキャリア周波数を使用して前記第１の制御局との通信を行い、前記第１の制御信号で前記第２のキャリア周波数群に属するキャリア周波数での通信が可能でないことを報知された場合、前記第１のキャリア周波数群に属するキャリア周波数を使用して前記第１の制御局との通信を行い、前記第２のキャリア周波数群に属するキャリア周波数での通信が可能な前記従属局が登録された場合、前記第１のキャリア周波数群、及び、前記第２のキャリア周波数群に属するいずれかのキャリア周波数を使用して第２の制御信号を送信し、前記第２のキャリア周波数群に属するキャリア周波数での通信が可能でない前記従属局が登録された場合、前記第１のキャリア周波数群に属するいずれかのキャリア周波数を使用して前記第２の制御信号を送信する、構成とする。
【００１８】
これによれば、第２の制御局は、第１の制御局から通知された第１の制御局が使用可能なキャリア周波数を用いて第１の制御局と通信を行い、従属局より通知された従属局が使用可能なキャリア周波数を用いて第２の制御信号を送信するようにしたので、第１の制御局、第２の制御局、従属局で使用可能なキャリア周波数が異なっていても支障をきたすことなく無線通信システム内の無線通信が可能となる。
【００１９】
前記課題を解決するためになされた第４の発明の前記第２の制御局は、前記従属局の登録モードが起動されると、前記第１のキャリア周波数群に属するいずれかのキャリア周波数を使用し前記第２の制御信号を送信する、構成とする。
【００２０】
これによれば、従属局を登録する際、第２の制御局は、第１のキャリア周波数群に属するキャリア周波数で第２の制御信号を送信するようにしたので、第２の制御局に従属局を無線通信で登録する場合、従属局が第２のキャリア周波数群に属するキャリア周波数での通信が可能な否かに関わらず、同じ制御で従属局の登録が可能となり、ユーザー操作で周波数の制限等の操作を行う必要が無くなくなり、利便性を向上させることができる。
【００２１】
続いて、本発明の実施形態について、図面を参照して説明する。なお、以下の実施形態では、第１の制御局としてコードレス電話装置の制御局（コードレス電話親機）、第２の制御局としてドアホン装置の制御局で無線通信システムを構成した場合を例に説明を行う。
【００２２】
先ず、第１実施形態における無線通信システムの構成について説明する。
【００２３】
図１は、第１実施形態における無線通信システムの構成を示す図である。図１に示すように、第１実施形態における無線通信システムは、第１の制御局として動作するコードレス電話装置の制御局（以下、「コードレス電話親機」と記す）１００と、コードレス電話装置の従属局として動作し、後述するドアホン装置の従属局として動作する無線子機２００と、第２の制御局として動作するドアホン装置の制御局（以下、「ドアホン親機」と記す）３００と、で構成される。ドアホン装置には、玄関子機部３１０が含まれる。なお、図１では、従属局として動作する無線子機２００は、１台のみ記載しているが、本実施の形態では、無線子機２００の台数は、複数であってもよい。
【００２４】
第１実施形態における無線通信システム内の無線通信は、時間軸をフレームと呼ぶ基本単位に分割し、フレーム内を複数のスロットに分割して、各スロットで通信を行う時分割多重通信を用いて行われる。第１実施形態における無線通信システムは、コードレス電話親機１００が、フレーム内の１つのスロットで制御信号（以下、第１の制御信号と記す）を送信し、ドアホン親機３００は、第１の制御信号を受信することによりコードレス電話親機１００との時分割多重通信のためのフレーム、スロットの同期をとり、コードレス電話親機１００との通信を行い、フレーム内の１つのスロットで制御信号（以下、第２の制御信号と記す）を送信する。また、無線子機２００は、第１の制御信号を受信することによりコードレス電話親機１００との時分割多重通信のためのフレーム、スロットの同期をとり、コードレス電話親機１００との通信を行い、第２の制御信号を受信することによりドアホン親機３００との時分割多重通信のためのフレーム、スロットの同期をとり、ドアホン親機３００との通信を行い、待機状態において、無線子機２００は、第１の制御信号と第２の制御信号を受信し、制御信号で通知されたイベントに応じた動作を行う。
【００２５】
以上で、第１実施形態における無線通信システムの構成について説明を終了する。
【００２６】
次に、図１に示す第１実施形態における無線通信システムの動作例について、説明を行う。
【００２７】
図１に示す第１実施形態における無線通信システムにおいて、電話回線から外線着信が発生すると、コードレス電話親機１００は、制御信号で外線着信中であることを報知し、無線子機２００は、制御信号で外線着信中であることが報知されると、リンガーを鳴らすなどして、使用者に外線着信を通知する。そして、使用者が無線子機２００で外線着信に対する応答操作を行うと、無線子機２００は、コードレス電話親機１００との無線通信を起動し、発信者との音声通話の接続が行われる。
【００２８】
図１に示す第１実施形態における無線通信システムにおいて、来訪者が、玄関子機部３１０で呼び出し操作を行うと、ドアホン親機３００は、玄関子機部３１０で撮影された映像信号を室内のモニタに表示し、報知音を鳴らす。また、ドアホン親機３００は、制御信号で来客通知中であることを報知し、玄関子機部３１０で撮影された映像信号を載せた無線信号の送信を開始する。無線子機２００は、制御信号で来客通知中であることが報知されると、映像信号の受信を開始し、来客通知を報知する報知音を鳴らし、受信した映像を表示して、使用者に来訪者が呼び出し操作を行ったことを通知する。そして、使用者が無線子機２００で応答操作を行うと、無線子機２００は、ドアホン親機３００との無線通信を起動し、来訪者との音声通話の接続が行われる。
【００２９】
また、ドアホン親機３００は、コードレス電話親機１００の従属局として動作している場合、すなわち、ドアホン親機３００がコードレス電話親機１００の従属局としてコードレス電話親機１００に子機登録されている場合、ドアホン親機３００で来訪者が、呼び出し操作を行うと、ドアホン親機３００は、コードレス電話親機１００との無線通信を起動し、呼び出し操作が行われたことを通知する。一方、コードレス電話親機１００は、ドアホン親機３００より呼び出し操作が行われたことが通知されると、来客通知を報知する報知音を鳴らし、使用者に来訪者が呼び出し操作を行ったことを通知する。そして、使用者がコードレス電話親機１００で応答操作を行うと、コードレス電話親機１００は、ドアホン親機３００に応答操作が行われたことを通知し、来訪者との音声通話の接続が行われる。
【００３０】
以上で、第１実施形態における無線通信システムの動作概要について説明を終了する。
【００３１】
次に、第１実施形態における無線通信システムのコードレス電話親機１００の構成例について、図２を用いて説明する。
【００３２】
図２は、第１実施形態におけるコードレス電話親機１００の構成例を示すブロック図である。
【００３３】
コードレス電話親機１００において、無線部１０１は、送信信号列を変調し無線信号として送信を行い、受信した無線信号を復調し、受信信号列を出力する。フレーム処理部１０２は、時分割多重通信のフレーム、スロットのタイミングにあわせてビット同期信号、シンクワード、送信データ、誤り検出符号からなる送信信号列を生成し、無線部１０１に出力し、無線部１０１より入力された受信信号列よりシンクワードに基づいて、受信データ、誤り検出符号を取り出し、出力する。子機情報記憶部１０３は、登録された従属局（無線子機２００、ドアホン親機３００）毎に、子機識別情報と第２のキャリア周波数群に属するキャリア周波数の対応能力、すなわち、子機情報記憶部１０３は、キャリア番号９のキャリア周波数を使用した通信に対応しているか否かの情報（以下、キャリア９対応情報と記す）を記憶する。なお、キャリア９対応情報として、キャリア番号９のキャリア周波数を使用した通信に対応している場合、“ｔｒｕｅ”が子機情報記憶部１０３に記憶され、キャリア番号９のキャリア周波数を使用した通信に対応していない場合、“ｆａｌｓｅ”が子機情報記憶部１０３に記憶される。表示部１０５は、子機登録モードが起動されたことの表示、回線からの着信時に発信元の電話番号の表示、ドアホン装置側の来客通知の表示等を行う。１０６は、報知部であり、子機登録モードが起動されたこと、回線からの着信、ドアホン装置側の来客通知等を音により報知する。操作部１０８は、子機登録モードの起動操作、ドアホン側への来客通知に対する応答等の入力を行う。音声部１０９は、マイク、スピーカー、増幅回路等で構成され、音声信号の入出力を行う。回線制御部１１０は、有線の電話回線網との間で通信を行う。制御部１２０は、コードレス電話親機１００の全体の制御を行う。制御部１２０は、制御用のソフトウェアが記憶されたメモリ（ＲＯＭ）、制御用の一時記憶用のメモリ（ＲＡＭ）、演算処理装置（ＣＰＵ）等で構成される。
【００３４】
以上で、第１実施形態における無線通信システムのコードレス電話親機１００の構成例についての説明を終了する。
【００３５】
次に、第１実施形態における無線子機２００の構成例について、図３を用いて説明する。
【００３６】
図３は、第１実施形態における無線子機２００の構成例を示すブロック図である。
【００３７】
図３において、無線部２０１は、送信信号列を変調し無線信号として送信を行い、受信した無線信号を復調し、受信信号列を出力する。フレーム処理部２０２は、時分割多重通信のフレーム、スロットのタイミングにあわせてビット同期信号、シンクワード、送信データ、誤り検出符号からなる送信信号列を生成し、無線部２０１に出力し、無線部２０１より入力された受信信号列よりシンクワードに基づいて、コードレス電話親機１００、及び、ドアホン親機３００との時分割多重通信の同期を維持し、受信データ、誤り検出符号を取り出し、出力する。親機情報記憶部２０３は、登録した制御局（コードレス電話親機１００、ドアホン親機３００）毎に、親機識別情報と第２のキャリア周波数群に属するキャリア周波数の対応能力、すなわち、キャリア番号９のキャリア周波数を使用した通信に対応しているか否かの情報（以下、キャリア９対応情報と記す）を記憶する。親機情報記憶部２０３に記憶される親機識別情報は、初期状態（未登録時）では親機識別情報の無効値、ＡＬＬ０であり、制御局との子機登録が完了すると、当該制御局の固有の識別情報（親機識別情報）が書き込まれる。また、親機情報記憶部２０３には、キャリア９対応情報として、登録した制御局がキャリア番号９のキャリア周波数を使用した通信に対応している場合、“ｔｒｕｅ”が記憶され、登録した制御局がキャリア番号９のキャリア周波数を使用した通信に対応していない場合、“ｆａｌｓｅ”が記憶される。表示部２０５は、登録モードが起動されたことの表示、回線からの着信時に発信元の電話番号の表示、後述する操作部２０８で入力された発信先の電話番号、ドアホン装置側の来客通知時の玄関子機部３１０で撮影された映像等の表示を行う。報知部２０６は、子機登録モードが起動されたこと、回線からの着信、ドアホン装置側の来客通知を音により報知する。操作部２０８は、子機登録モードの起動操作、発信時の電話番号の入力、着信応答操作、ドアホン側への来客通知に対する応答等の入力を行う。音声部２０９は、マイク、スピーカー、増幅回路等で構成され、音声信号の入出力を行う。制御部２２０は、無線子機２００の全体の制御を行う。制御部２２０は、制御用のソフトウェアが記憶されたメモリ（ＲＯＭ）、制御用の一時記憶用のメモリ（ＲＡＭ）、演算処理装置（ＣＰＵ）等で構成される。
【００３８】
なお、本発明の無線通信システムでは、複数の無線子機２００を使用することが可能であるが、それぞれの無線子機２００のブロック構成は、上記と同様である。以上で第１実施形態における無線子機２００の構成例についての説明を終了する。
【００３９】
次に、第１実施形態における無線通信システムのドアホン親機３００の構成例について、図４を用いて説明する。
【００４０】
図４は、第１実施形態におけるドアホン親機３００の構成例を示すブロック図である。
【００４１】
図４において、無線部３０１は、送信信号列を変調し無線信号として送信を行い、受信した無線信号を復調し、受信信号列を出力する。フレーム処理部３０２は、時分割多重通信のフレーム、スロットのタイミングにあわせてビット同期信号、シンクワード、送信データ、誤り検出符号からなる送信信号列を生成し、無線部３０１に出力し、無線部３０１より入力された受信信号列よりシンクワードに基づいて、受信データ、誤り検出符号を取り出し、出力する。子機情報記憶部３０３は、登録された従属局（無線子機２００）毎に、子機識別情報と第２のキャリア周波数群に属するキャリア周波数の対応能力、すなわち、キャリア番号９のキャリア周波数を使用した通信に対応しているか否かの情報（以下、キャリア９対応情報と記す）を記憶する。親機情報記憶部３０４は、登録した制御局（コードレス電話親機１００）、または、無線子機２００から通知された制御局（コードレス電話親機１００）の親機識別情報、親機識別情報が登録した制御局のものか無線子機２００から通知されたものかを識別する情報、第２のキャリア周波数群に属するキャリア周波数の対応能力、すなわち、キャリア番号９のキャリア周波数を使用した通信に対応しているか否かの情報を記憶する。なお、キャリア９対応情報として、キャリア番号９のキャリア周波数を使用した通信に対応している場合、“ｔｒｕｅ”が子機情報記憶部３０３、親機情報記憶部３０４に記憶され、キャリア番号９のキャリア周波数を使用した通信に対応していない場合、“ｆａｌｓｅ”が子機情報記憶部３０３、親機情報記憶部３０４に記憶される。また、親機情報記憶部３０４に記憶される親機識別情報は、初期状態（未登録時）では親機識別情報の無効値、ＡＬＬ０であり、制御局（コードレス電話親機１００）との子機登録が完了すると、当該制御局の固有の識別情報（親機識別情報）が書き込まれる。表示部３０５は、子機登録モードが起動されたことの表示、来客通知の表示等を行う。報知部３０６は、無線子機２００を登録する子機登録モードが起動されたこと、コードレス電話親機１００に登録を行う子機登録モードが起動されたこと、来客通知等を音により報知する。操作部３０８は、無線子機２００を登録する子機登録モードの起動操作、コードレス電話親機１００に登録を行う子機登録モードの起動操作、来客通知に対する応答等の入力を行う。音声部３０９は、マイク、スピーカー、増幅回路等で構成され、音声信号の入出力を行う。玄関子機部３１０は、来客通知を起動するためのボタン、通話用の音声回路、来客者の映像を撮影するためのカメラやその制御回路等で構成される。制御部３２０は、ドアホン親機３００の全体の制御を行う。制御部３２０は、制御用のソフトウェアが記憶されたメモリ（ＲＯＭ）、制御用の一時記憶用のメモリ（ＲＡＭ）、演算処理装置（ＣＰＵ）等で構成される。
【００４２】
以上で、第１実施形態における無線通信システムのドアホン親機３００の構成例についての説明を終了する。
【００４３】
次に、第１実施形態における無線通信システムのコードレス電話親機１００、無線子機２００、ドアホン３００が、それぞれの接続先の能力に応じてキャリア周波数の使用を制御する動作について説明を行う。なお、以下の説明では、コードレス電話親機１００、無線子機２００、ドアホン親機３００が先に述べた表１に示すキャリア周波数、キャリア番号を用いてＤＥＣＴ方式の無線通信を行う場合のキャリア周波数を制御する動作を例に説明を行う。また、表1に示すキャリア番号０、１、２，３，４の４つのキャリア周波数を本発明の第1のキャリア周波数群のキャリア、キャリア番号９のキャリア周波数を本発明の第２のキャリア周波数群のキャリアとした場合の動作を例に以下の説明を行う。
【００４４】
先ず、第１実施形態における無線通信システムのコードレス電話親機１００の動作について図５を用いて説明を行う。
【００４５】
図５は、第１実施形態における無線通信システムのコードレス電話親機１００の動作例を示すフローチャートである。
【００４６】
コードレス電話親機１００が起動されると、フローはステップ３０１に進む。
【００４７】
ステップ３０１において、コードレス電話親機１００の制御部１２０は、動作開始時、登録済みの全ての子機情報の読み込みを行う。すなわち、子機情報記憶部１０３より、登録された各々の従属局（無線子機２００、ドアホン親機３００）のキャリア番号９の通信に対応しているか否かを示すキャリア９対応情報の読み込みを行う。そして、フローはステップ３０２に進む。
【００４８】
ステップ３０２において、制御部１２０は、第２のキャリア周波数群のキャリア周波数（キャリア番号９のキャリア周波数）を使用した通信が未対応の従属局が登録されていないかを調べる。すなわち、子機情報記憶部１０３より読み込んだそれぞれの登録済みの従属局のキャリア９対応情報の値を確認する。登録済み従属局のキャリア９対応情報が１つでもキャリア番号９のキャリア周波数を使用した通信が未対応であることを示す“ｆａｌｓｅ”であれば（ステップ３０２：Ｙｅｓ）、ステップ３０４に進み、登録済み従属局のキャリア９対応情報に“ｆａｌｓｅ”が含まれていなければ（ステップ３０２：Ｎｏ）、フローはステップ３０３に進む。
【００４９】
ステップ３０３おいて、制御部１２０は、第１の制御信号用のキャリア周波数に使用可能なキャリア周波数のキャリア番号を、第１キャリア周波数群、及び、第１キャリア周波数群に含まれる全てのキャリア周波数に対応した番号、すなわち、０、１、２、３、４、９の６つに設定する。そして、フローはステップ３０５に進む。
【００５０】
ステップ３０４おいて、制御部１２０は、第１の制御信号用のキャリア周波数に使用可能なキャリア周波数のキャリア番号を、第１キャリア周波数群に含まれる全てのキャリア周波数に対応した番号、すなわち、０、１、２、３、４の５つに設定する。そして、フローはステップ３０５に進む。
【００５１】
ステップ３０５では、コードレス電話親機１００は、親機識別情報、通信用のキャリア番号（０、１、２、３、４、９）、動作モード（通常モード）等を報知する第１の制御信号の送信を行いながら、従属局（無線子機２００、ドアホン親機３００）からの位置登録や呼接続等の通信を待ち受ける通常モードの起動を行う。制御部１２０は、フレーム内の１つのスロットで第１の制御信号の送信を行い（以下、第１の制御信号を送信するスロットを制御スロットと呼ぶ）、制御スロット以外のスロット（以下、待ち受けスロットと呼ぶ）で、受信を行うように、無線部１０１、フレーム処理部１０２を制御する。このとき、第１の制御信号は、ステップ３０３、または、ステップ３０４で設定されたキャリア番号の中から選択された１つのキャリア番号に対応したキャリア周波数で送信される。また、待ち受けスロットでは、フレーム毎にキャリア番号０、１、２、３、４、９のキャリア周波数の信号を受信するように、フレーム毎に受信周波数を切り替えながら、無線子機２００からの信号を持ち受けると共に妨害波のレベル検知を行う。また、ステップ３０５では、第１の制御信号の干渉妨害を回避するための第１の制御信号の移動の処理が行われる。制御部１２０は、定期的に第１の制御信号の送信を停止し、制御スロットで、第１の制御信号の送信に使用していたキャリア周波数での受信を行うように無線部１０１、フレーム処理部１０２を制御し、制御スロットにおける妨害波のレベルを検知する。そして、制御部１２０は、待ち受けスロットで検知した各キャリア周波数と各スロットの組合せにおける妨害波のレベルと制御スロットにおける妨害波のレベルを比較し、最も妨害波のレベルが低いステップ３０３、または、ステップ３０４で設定されたキャリア番号に対応する各キャリア周波数とスロットの組合せを選択して、選択したスロットで選択したキャリア周波数の第１の制御信号の送信を再開するように、無線部１０１、フレーム処理部１０２を制御する。そして、フローはステップ３０６に進む。
【００５２】
ステップ３０６において、子機登録モードが起動されたか否かの判定を行う。制御部１２０は、操作部１０８で子機登録モードを起動する操作が行われたかを判断し、子機登録モードを起動する操作が行われた場合（ステップ３０６：Ｙｅｓ）、ステップ３１０に進み、子機登録モードを起動する操作が行われていなかった場合（ステップ３０６：Ｎｏ）、フローはステップ３２０に進む。
【００５３】
ステップ３１０おいて、制御部１２０は、第１の制御信号用のキャリア周波数に使用可能なキャリア周波数のキャリア番号を、第１キャリア周波数群に含まれる全てのキャリア周波数に対応した番号、すなわち、０、１、２、３、４の５つに設定する。そして、フローはステップ３１１に進む。
【００５４】
ステップ３１１では、コードレス電話親機１００は、親機識別情報、通信用のキャリア番号（０、１、２、３、４、９）、動作モード（子機登録モード）等を報知する第１の制御信号の送信を行いながら、従属局からの子機登録要求を待ち受ける子機登録モードの起動を行う。制御部１２０は、ステップ３１０で設定されたキャリア番号に対応するキャリア周波数の中から選択されたキャリア周波数で第１の制御信号の送信を行い、待ち受けスロットで従属局（無線子機２００、ドアホン親機３００）からの子機登録要求の受信を行うように、無線部１０１、フレーム処理部１０２を制御する。すなわち、制御部１２０は、ステップ３０５の通常モードで動作中、第２のキャリア周波数群に属するキャリア周波数（キャリア番号９に対応するキャリア周波数）で第１の制御信号の送信を行っていた場合、ステップ３１１に遷移後、待ち受けスロットで検知された各キャリア周波数と各スロットの組合せにおける妨害波のレベルを比較し、最も妨害波のレベルが低いステップ３１０で設定されたキャリア番号に対応する各キャリア周波数（第１のキャリア周波数群に属するキャリア周波数）とスロットの組合せを選択して、選択したスロットで選択したキャリア周波数の第１の制御信号の送信を送信するように、無線部１０１、フレーム処理部１０２を制御する。また、制御部１２０は、ステップ３１１に遷移すると、子機登録の制限タイマを起動し、表示部１０５で子機登録中であることを表示し、報知部１０６で子機登録中であることを報知するように制御を行う。そして、フローはステップ３１２に進む。なお、ステップ３０５の通常モードで動作中、第１のキャリア周波数群に属するキャリア周波数（キャリア番号０、１、２、３、４に対応するキャリア周波数）のいずれかを使用して第１の制御信号の送信を行っていた場合、第１の制御信号の送信スロット、キャリア周波数変更せず、動作モードで報知する内容のみを変更して第１の制御信号の送信を行う。
【００５５】
ステップ３１２において、子機登録が完了したか否かの判定を行う。制御部１２０は、従属局（無線子機２００、ドアホン親機３００）との子機登録のシーケンスが正しく完了したかを判断し、子機登録が完了していた場合（ステップ３１２：Ｙｅｓ）、ステップ３１４に進み、子機登録が完了していなかった場合（ステップ３１２：Ｎｏ）、フローはステップ３１３に進む。
【００５６】
ステップ３１３において、子機登録の制限タイマが満了したか否かの判定を行う。制御部１２０は、子機登録の制限タイマが満了したかを判断し、子機登録の制限タイマが満了していた場合（ステップ３１３：Ｙｅｓ）、ステップ３０１に進み、子機登録の制限タイマが満了していなかった場合（ステップ３１３：Ｎｏ）、フローはステップ３１２に進む。なお、子機登録の制限タイマが満了し（ステップ３１３：Ｙｅｓ）、フローはステップ３０１に進むと、上述のステップ３０１、ステップ３０２、ステップ３０３、ステップ３０４、ステップ３０５の説明と同様に登録済の子機情報が読み込まれ（ステップ３０１）、従属局の能力が判定され（ステップ３０２）、従属局の能力に応じて制御信号で使用可能なキャリア番号が設定され（ステップ３０３、または、ステップ３０４）、ステップ３０５に進み、通常モードでの動作に戻る。
【００５７】
ステップ３１４において、子機登録が完了すると、コードレス電話親機１００は子機登録が完了した従属局の情報を記憶する。制御部１２０は、子機登録のシーケンスで無線子機２００に子機番号を割り当て、子機情報記憶部１０３の割り当てた子機番号に応じた子機識別情報の管理領域に子機登録のシーケンスで無線子機２００より通知された子機識別情報を書き込み、子機情報記憶部１０３の割り当てた子機番号に応じたキャリア９対応情報の管理領域にキャリア番号９のキャリア周波数を使用した通信が未対応を示す“ｆａｌｓｅ”を書き込む。そして、フローはステップ３０１に進む。そして、上述のステップ３０１、ステップ３０２、ステップ３０４、ステップ３０５の説明と同様に新たに登録された従属局の登録情報を含んだ全ての登録済み従属局の子機情報が読み込まれ（ステップ３０１）、従属局の能力が判定され（ステップ３０２）、新たに登録された従属局のキャリア９対応情報が“ｆａｌｓｅ”であることから、ステップ３０４に進み、第１の制御信号で使用可能なキャリア周波数が第１のキャリア周波数群属するキャリア周波数のみに制限されたままステップ３０５に進み、通常モードでの動作に戻る。
【００５８】
ステップ３２０において、コードレス電話親機１００は、子機情報を受信したか否かの判定を行う。制御部１２０は、従属局（無線子機２００、ドアホン親機１００）より第２のキャリア周波数に属するキャリア周波数の対応が可能か否か（キャリア番号９のキャリア周波数での通信が可能か否か）を通知する子機情報を受信したか否かを判定し、子機情報を受信していた場合（ステップ３２０：Ｙｅｓ）、ステップ３２１に進み、子機情報を受信していなかった場合（ステップ３２０：Ｎｏ）、フローはステップ３０５に進む。
【００５９】
ステップ３２１において、コードレス電話親機１００は、子機情報の更新を行う。制御部１２０は、従属局（無線子機２００、ドアホン親機１００）より通知された子機識別符号と子機情報に基づいて、子機情報記憶部１０３の無線子機２００より通知された子機識別符号に対応したキャリア９対応情報の管理領域に従属局（無線子機２００、ドアホン親機１００）より通知された子機情報を書き込む。すなわち、制御部１２０は、従属局（無線子機２００、ドアホン親機１００）より、第２のキャリア周波数に属するキャリア周波数の対応が可能であることが通知されると、その従属局のキャリア９対応情報の管理領域に“ｔｒｕｅ”を書き込み、第２のキャリア周波数に属するキャリア周波数の対応が不可であることが通知されると、その従属局のキャリア９対応情報の管理領域に“ｆａｌｓｅ”を書き込む。なお、この第２のキャリア周波数に属するキャリア周波数の対応の可否は、例えば、ＤＥＣＴ方式の通信プロトコルでは、位置登録要求のメッセージ（ＬＯＣＡＴＥ−ＲＥＱＥＳＴ）でＩＷＵ間のメッセージを伝達する情報要素（ＩＷＵ−ＴＯ−ＩＷＵ）を用いて無線子機２００より、コードレス電話親機１００に通知される。そして、フローはステップ３０１に進み、子機情報が更新される。そして、上述のステップ３０１、ステップ３０２、ステップ３０３、ステップ３０４、ステップ３０５の説明と同様に新たに更新された子機情報が読み込まれ（ステップ３０１）、子機の能力が判定され（ステップ３０２）、子機の能力に応じて制御信号で使用可能なキャリア番号が設定され（ステップ３０３、または、ステップ３０４）、ステップ３０５に進み、通常モードでの動作に戻る。
【００６０】
なお、親機識別情報、通信用のキャリア番号の報知は、ＤＥＣＴ方式の通信プロトコルでは、Ｄｕｍｍｙ  ｂｅａｒｅｒと呼ばれる信号で報知され、４０ビットの親機識別情報は、Ｉｄｅｎｔｉｔｉｅｓ  ｉｎｆｏｍａｔｉｏｎ（ＮＴ）で報知され、通信用のキャリア番号は、Ｓｙｓｔｅｍ  ｉｎｆｏｍａｔｉｏｎ  ａｎｄ  ｍｕｌｔｉｆｒａｍｅ  ｍａｒｋｅｒ（ＱＴ）のｓｔａｔｉｃ  ｓｙｓｔｅｍ  ｉｎｆｏのＲＦ−ｃａｒｒｉｅｒｓと呼ばれる信号で報知される。
【００６１】
以上で第１実施形態における無線通信システムのコードレス電話親機１００の動作についての説明を終了する。
【００６２】
次に、第１実施形態における無線通信システムの無線子機２００の動作について図６を用いて説明を行う。
【００６３】
図６は、第１実施形態における無線子機２００の動作例を示すフローチャートである。
【００６４】
無線子機２００が起動されると、フローはステップ６０１に進む。
【００６５】
ステップ６０１において、無線子機２００の制御部２２０は、動作開始時、親機情報記憶部２０３より、コードレス電話親機１００とドアホン親機３００との子機登録に関する情報を読み込む。すなわち、親機情報記憶部２０３より、登録したコードレス電話親機１００とドアホン親機３００の親機識別情報、キャリア番号９の通信に対応しているか否かを示すキャリア９対応情報の読み込みを行う。そして、フローはステップ６０２に進む。
【００６６】
ステップ６０２において、制御部２２０は、ドアホン親機３００との子機登録に関する情報の判定を行う。ドアホン親機に登録されていた場合、すなわち、親機情報記憶部２０３にドアホン親機の親機識別情報が記憶されていた場合（ステップ６０２：Ｙｅｓ）、ステップ６０３に進み、ドアホン親機が登録されていなかった場合、すなわち、親機情報記憶部２０３に記憶されていたドアホン親機の親機識別情報が無効値（ＡＬＬ０）であった場合（ステップ６０２：Ｎｏ）、フローはステップ６１１に進む。
【００６７】
ステップ６０３において、制御部２２０は、ドアホン親機３００との同期を確立し、ドアホン親機３００の第２の制御信号の受信を開始する。先ず、制御部２２０は、受信周波数を順次変えながら連続受信を行うように、無線部２０１、フレーム処理部２０２を制御する。このとき、制御部２２０は、親機のサーチを行う受信周波数として、キャリア番号０、１、２、３、４、９の第１のキャリア周波数群、及び、第２のキャリア周波数群に属するキャリア周波数を順次選択し、選択したキャリア周波数の無線信号を受信し、シンクワードに基づいて受信信号より親機識別情報を取り出し、親機情報記憶部２０３に記憶されていたドアホン親機３００の親機識別情報を送信している制御信号（第２の制御信号）に同期してフレーム、スロットの受信を行うように無線部２０１、フレーム処理部２０２を制御し、登録したドアホン親機３００とのフレーム、スロットの同期を確立する。そして、フローはステップ６０４に進む。
【００６８】
ステップ６０４において、制御部２２０は、ドアホン親機３００に、当該無線子機２００が使用可能なキャリア周波数（キャリア番号）を通知する。すなわち、制御部２２０は、親機情報記憶部２０３に記憶されていたドアホン親機３００のキャリア９対応情報に基づいて、ドアホン親機３００との通信に使用可能なキャリア周波数を選択し、ドアホン親機３００との無線通信を起動するように無線部２０１、フレーム処理部２０２を制御し、ドアホン親機３００との無線通信が起動すると、キャリア番号０、１、２、３、４、９の第１のキャリア周波数群、及び、第２のキャリア周波数群に属するキャリア周波数（キャリア番号）が使用可能であることをドアホン親機３００に通知する。そして、フローはステップ６０５に進む。
【００６９】
ステップ６０５において、制御部２２０は、登録したコードレス電話親機１００の親機識別情報をドアホン親機に通知する。制御部２２０は、ステップ６０４で起動した無線通信路を使用して親機情報記憶部２０３に記憶されたコードレス電話親機１００の親機識別情報をドアホン親機３００に通知し、無線通信を停止するように無線部２０１、フレーム処理部２０２を制御する。このとき、無線子機２００は、コードレス電話親機１００に登録されていなければ、親機識別情報としてＡＬＬ０が通知され、コードレス電話親機１００に登録されていれば、登録したコードレス電話親機の固有の識別符号（親機識別情報）が通知される。そして、フローはステップ６１１に進む。
【００７０】
ステップ６１１において、制御部２２０は、コードレス電話親機１００との子機登録に関する情報の判定を行う。コードレス電話に登録されていた場合、すなわち、親機情報記憶部２０３にコードレス電話の親機識別情報が記憶されていた場合（ステップ６１１：Ｙｅｓ）、ステップ６１２に進み、ドアホン親機が登録されていなかった場合、すなわち、親機情報記憶部３０３に記憶されていたドアホン親機の親機識別情報が無効値（ＡＬＬ０）であった場合（ステップ６１１：Ｎｏ）、フローはステップ６３０に進む。
【００７１】
ステップ６１２において、制御部２２０は、コードレス電話親機１００との同期を確立し、コードレス電話親機１００の第１の制御信号の受信を開始する。先ず、制御部２２０は、受信周波数を順次変えながら連続受信を行うように、無線部２０１、フレーム処理部２０２を制御する。このとき、制御部２２０は、親機のサーチを行う受信周波数として、キャリア番号０、１、２、３、４、９の第１のキャリア周波数群、及び、第２のキャリア周波数群に属するキャリア周波数を順次選択し、選択したキャリア周波数の無線信号を受信し、シンクワードに基づいて受信信号より親機識別情報を取り出し、親機情報記憶部２０３に記憶されていたコードレス電話親機１００の親機識別情報を送信している制御信号（第１の制御信号）に同期してフレーム、スロットの受信を行うように無線部２０１、フレーム処理部２０２を制御し、登録したコードレス電話親機１００とのフレーム、スロットの同期を確立する。なお、制御部２２０は、ドアホン親機３００との同期が確立した状態でステップ６１２に遷移してきた場合、ステップ６０１で確立したドアホン親機３００との同期を維持し、ドアホン親機３００の第２の制御信号を受信しながら、第２の制御信号を受信するスロット以外の各スロットで受信を行い、コードレス電話親機１００から送信される第１の制御信号を検出するように無線部２０１、フレーム処理部２０２を制御する。そして、フローはステップ６１３に進む。
【００７２】
ステップ６１３において、制御部２２０は、ドアホン親機３００が、第２のキャリア周波数群に属するキャリア周波数（キャリア番号９に対応するキャリア周波数）を使用した通信に対応しているか否かの判定を行う。ドアホン親機３００が第２のキャリア周波数群に属するキャリア周波数（キャリア番号９に対応するキャリア周波数）を使用した通信に対応していた場合、すなわち、親機情報記憶部２０３のドアホン親機のキャリア９対応情報が“ｔｒｕｅ”であった場合（ステップ６１３：Ｙｅｓ）、ステップ６１４に進み、ドアホン親機３００が第２のキャリア周波数群に属するキャリア周波数（キャリア番号９に対応するキャリア周波数）を使用した通信に対応していない場合、すなわち、親機情報記憶部２０３のドアホン親機のキャリア９対応情報が“ｆａｌｓｅ”であった場合（ステップ６１３：Ｎｏ）、フローはステップ６１５に進む。また、ドアホン親機３００に登録されていない場合、（ステップ６１３：Ｙｅｓ）、フローはステップ６１４に進む。
【００７３】
ステップ６１４において制御部２２０は、コードレス電話親機１００に、第１のキャリア周波数群、及び、第２のキャリア周波数群に属するキャリア周波数（キャリア番号０、１、２、３、４、９に対応するキャリア周波数）が使用可能であることを通知する。すなわち、制御部２２０は、親機情報記憶部２０３に記憶されていたコードレス電話親機１００のキャリア９対応情報に基づいて、コードレス電話親機１００との通信に使用可能なキャリア周波数を選択し、コードレス電話親機１００との無線通信を起動するように無線部２０１、フレーム処理部２０２を制御し、コードレス電話親機１００との無線通信が起動すると、キャリア番号０、１、２、３、４、９の第１のキャリア周波数群、及び、第２のキャリア周波数群に属するキャリア周波数（キャリア番号）が使用可能であることをコードレス電話親機１００に通知し、無線通信を停止するように無線部２０１、フレーム処理部２０２を制御する。そして、フローはステップ６３０に進む。
【００７４】
ステップ６１５において制御部２２０は、コードレス電話親機１００に、第１のキャリア周波数群に属するキャリア周波数（キャリア番号０、１、２、３、４に対応するキャリア周波数）が使用可能であることを通知する。すなわち、制御部２２０は、親機情報記憶部２０３に記憶されていたコードレス電話親機１００のキャリア９対応情報に基づいて、コードレス電話親機１００との通信に使用可能なキャリア周波数を選択し、コードレス電話親機１００との無線通信を起動するように無線部２０１、フレーム処理部２０２を制御し、コードレス電話親機１００との無線通信が起動すると、キャリア番号０、１、２、３、４の第１のキャリア周波数群に属するキャリア周波数（キャリア番号）が使用可能であることをコードレス電話親機１００に通知し、無線通信を停止するように無線部２０１とフレーム処理部２０２を制御する。そして、フローはステップ６３０に進む。
【００７５】
ステップ６３０において、制御部２２０は、待機状態の制御を行う。すなわち、制御部２２０は、登録状態におじて、コードレス電話親機１００から送信される第１の制御信号、ドアホン親機３００から送信される第２の制御信号の受信を継続するように無線部２０１とフレーム処理部２０２を制御する。
【００７６】
また、ステップ６３０において、コードレス電話親機１００から送信される第１の制御信号で外線着信中が通知されると、制御部２２０は、リンガーを鳴らすなどして、使用者に外線着信を通知するように報知部２０６を制御する。そして、操作部２０８で応答操作が行われると、制御部２２０は、親機情報記憶部２０３に記憶されていたコードレス電話親機１００のキャリア９対応情報に基づいて、コードレス電話親機１００との通信に使用可能なキャリア周波数を選択し、コードレス電話親機１００との無線通信を起動するように無線部２０１、フレーム処理部２０２を制御し、コードレス電話親機１００との無線通信を起動し、音声通話を行うように音声部２０９を制御する。そして、操作部２０８で終了操作が行われると、無線通信を停止し、制御部２２０は、登録状態におじて、コードレス電話親機１００から送信される第１の制御信号、ドアホン親機３００から送信される第２の制御信号の受信を継続するように無線部２０１とフレーム処理部２０２を制御する。
【００７７】
また、ステップ６３０において、ドアホン親機３００から第２の制御信号で来客通知中が通知されると、制御部２２０は、映像信号の受信を開始し、来客通知を報知する報知音を鳴らし、受信した映像を表示して、使用者に来訪者が呼び出し操作を行ったことを通知するように表示部２０５、報知部２０６を制御する。そして、操作部２０８で応答操作が行われると、制御部２２０は、親機情報記憶部２０３に記憶されていたドアホン親機３００のキャリア９対応情報に基づいて、ドアホン親機３００との通信に使用可能なキャリア周波数を選択し、ドアホン親機３００との無線通信を起動するように無線部２０１、フレーム処理部２０２を制御し、ドアホン親機３００との無線通信を起動し、音声通話を行うように音声部２０９を制御する。そして、操作部２０８で終了操作が行われると、無線通信を停止し、制御部２２０は、登録状態におじて、コードレス電話親機１００から送信される第１の制御信号、ドアホン親機３００から送信される第２の制御信号の受信を継続するように無線部２０１とフレーム処理部２０２を制御する。
【００７８】
そして、フローは一定周期でステップ６３０からステップ６３１に進む。
【００７９】
ステップ６３１において、制御部２２０は、子機登録の操作が行われたかを判定する。操作部２０８で登録動作を起動する操作が行われると（ステップ６３１、Ｙｅｓ）、ステップ６３２に進み、登録動作を起動する操作が行われていないと（ステップ６３１：Ｎｏ）、フローはステップ６３０に進む。
【００８０】
ステップ６３２において、子機登録モードで動作中の制御局（コードレス電話親機１００、または、ドアホン親機３００）のサーチを行い。当該制御局との同期を確立する。制御部２２０は、受信周波数を順次変えながら連続受信を行うように、無線部２０１、フレーム処理部２０２を制御する。このとき、制御部２２０は、親機のサーチを行う受信周波数として、キャリア番号０、１、２、３、４、９の第１のキャリア周波数群、及び、第２のキャリア周波数群に属するキャリア周波数を順次選択し、選択したキャリア周波数の無線信号を受信し、シンクワードに基づいて受信信号から、親機識別情報、動作モードを取り出し、子機登録モードで動作中の制御局（コードレス電話親機１００、または、ドアホン親機３００）を検出し、当該制御局に同期してフレーム、スロットの受信を行うように無線部２０１、フレーム処理部２０２を制御する。そして、フローはステップ６３３に進む。なお、ステップ６３２において、予め決められた時間以内に登録モード中の制御局との同期を確立できなかった場合には、ステップ６０１に戻る（図示せず）。
【００８１】
ステップ６３３において制御部２２０は、同期した制御局（コードレス電話親機１００、または、ドアホン親機３００）より送信される制御信号（第１の制御信号、または、第２の制御信号）の受信を継続し、当該制御局との通信に使用可能なキャリア周波数の情報を受信する。そして、制御部２２０は、受信した当該制御局との通信に使用可能なキャリア周波数の情報に基づいて通信用のキャリア周波数を選択し、同期した制御局（コードレス電話親機１００、または、ドアホン親機３００）との無線通信を起動し、子機登録のシーケンスを起動し、子機識別符号を通知し、相互の認証を行うなどして、子機登録を行い、無線通信を停止するように無線部２０１、フレーム処理部２０２を制御する。そして、制御部２２０は、親機情報記憶部２０３の登録が完了した制御局に応じたコードレス電話親機１００、または、ドアホン親機３００用の管理領域に、受信した親機識別情報、当該制御局との通信に使用可能なキャリア周波数の情報（キャリア９対応情報）を書き込む。そして、ステップ６０１にすすむ。
【００８２】
なお、ステップ６０４、ステップ６０５においてドアホン親機３００と無線子機２００間で行われる無線通信は、例えば、ＤＥＣＴ方式の通信プロトコルでは、位置登録（Ｌｏｃａｔｉｏｎ  Ｒｅｇｉｓｔｒａｔｉｏｎ）のための無線通信であり、使用可能なキャリア番号の通知、コードレス電話親機の親機識別情報は、位置登録要求のメッセージ（ＬＯＣＡＴＥ−ＲＥＱＥＳＴ）や情報伝達用のメッセージ（ＭＭ−ＩＷＵ）でＩＷＵ間のメッセージを伝達する情報要素（ＩＷＵ−ＴＯ−ＩＷＵ）を使用して通知される。
【００８３】
同様に、ステップ６１４、ステップ６１５においてコードレス電話親機１００と無線子機２００間で行われる無線通信は、例えば、ＤＥＣＴ方式の通信プロトコルでは、位置登録（Ｌｏｃａｔｉｏｎ  Ｒｅｇｉｓｔｒａｔｉｏｎ）のための無線通信であり、使用可能なキャリア番号の通知は、位置登録要求のメッセージ（ＬＯＣＡＴＥ−ＲＥＱＥＳＴ）でＩＷＵ間のメッセージを伝達する情報要素（ＩＷＵ−ＴＯ−ＩＷＵ）を使用して通知される。
【００８４】
また、ステップ６３３において制御局（コードレス電話親機１００、または、ドアホン親機３００）と無線子機２００間で行われる無線通信は、例えば、ＤＥＣＴ方式の通信プロトコルでは、子機登録（Ｏｂｔａｉｎｉｎｇ  ａｃｃｅｓｓ  ｒｉｇｈｔｓ）のための無線通信であり、子機登録要求のメッセージ（ＡＣＣＥＳＳ−ＲＩＧＨＴ−ＲＥＱＥＳＴ）、子機登録応答のメッセージ（ＡＣＣＥＳＳ−ＲＩＧＨＴ−ＡＣＣＥＰＴ）が送受信される。
【００８５】
また、親機識別情報、通信用のキャリア番号の報知は、ＤＥＣＴ方式の通信プロトコルでは、Ｄｕｍｍｙ  ｂｅａｒｅｒと呼ばれる信号で報知され、４０ビットの親機識別情報は、Ｉｄｅｎｔｉｔｉｅｓ  ｉｎｆｏｍａｔｉｏｎ（ＮＴ）で報知され、通信用のキャリア番号は、Ｓｙｓｔｅｍ  ｉｎｆｏｍａｔｉｏｎ  ａｎｄ  ｍｕｌｔｉｆｒａｍｅ  ｍａｒｋｅｒ（ＱＴ）のｓｔａｔｉｃ  ｓｙｓｔｅｍ  ｉｎｆｏのＲＦ−ｃａｒｒｉｅｒｓと呼ばれる信号で報知される。
【００８６】
以上で第１実施形態における無線子機の動作例についての説明を終了する。
【００８７】
次に、第１実施形態における無線通信システムのドアホン親機の動作について図７を用いて説明を行う。
【００８８】
図７は、第１実施形態における無線通信システムのドアホン親機３００の動作例を示すフローチャートである。
【００８９】
ドアホン親機３００が起動されると、フローはステップ７０１に進む。
【００９０】
ステップ７０１において、ドアホン親機３００の制御部３２０は、動作開始時、親機情報記憶部３０４より、コードレス電話親機１００の子機登録に関する情報を読み込む。すなわち、親機情報記憶部３０４より、登録したコードレス電話親機１００の親機識別情報、親機識別情報が登録した制御局のものか無線子機２００から通知されたものかを識別する情報、キャリア番号９の通信に対応しているか否かを示すキャリア９対応情報の読み込みを行う。そして、フローはステップ７０２に進む。
【００９１】
ステップ７０２において、コードレス電話親機１００の親機識別情報に関する情報の有無の判定を行う。制御部３２０は、親機情報記憶部３０４にコードレス電話親機の親機識別情報が記憶されていた場合（ステップ７０２：Ｙｅｓ）、ステップ７０３に進み、コードレス電話親機が登録されていなかった場合、すなわち、親機情報記憶部３０４に記憶されていたコードレス電話親機の親機識別情報が無効値（ＡＬＬ０）であった場合（ステップ７０２：Ｎｏ）、フローはステップ７１１に進む。
【００９２】
ステップ７０３において、コードレス電話親機１００との同期を確立し、コードレス電話親機１００の第１の制御信号の受信を開始する。先ず、制御部３２０は、受信周波数を順次変えながら連続受信を行うように、無線部３０１、フレーム処理部３０２を制御する。このとき、制御部３２０は、親機のサーチを行う受信周波数として、キャリア番号０、１、２、３、４、９の第１のキャリア周波数群、及び、第２のキャリア周波数群に属するキャリア周波数を順次選択し、選択したキャリア周波数の無線信号を受信し、シンクワードに基づいて受信信号より親機識別情報を取り出し、親機情報記憶部３０４に記憶されていたコードレス電話親機１００の親機識別情報を送信している制御信号（第１の制御信号）に同期してフレーム、スロットの受信を行うように無線部３０１、フレーム処理部３０２を制御し、コードレス電話親機１００とのフレーム、スロットの同期を確立する。そして、フローはステップ７０４に進む。
【００９３】
ステップ７０４において、コードレス電話親機１００の親機識別情報の情報元に関する判定を行う。制御部３２０は、親機情報記憶部３０４にコードレス電話親機の親機識別情報が、当該ドアホン親機がコードレス電話親機１００との間で子機登録を行った際に記憶されものであれば（ステップ７０４：Ｙｅｓ）、ステップ７０５に進み、無線子機２００から通知されたものであれば（ステップ７０４：Ｎｏ）、フローはステップ７１１に進む。
【００９４】
ステップ７０５において、制御部３２０は、コードレス電話親機１００に、第１のキャリア周波数群、及び、第２のキャリア周波数群に属するキャリア周波数（キャリア番号０、１、２、３、４、９に対応するキャリア周波数）が使用可能であることを通知する。すなわち、制御部３２０は、親機情報記憶部３０４に記憶されていたコードレス電話親機１００のキャリア９対応情報に基づいて、コードレス電話親機１００との通信に使用可能なキャリア周波数を選択し、コードレス電話親機１００との無線通信を起動するように無線部３０１、フレーム処理部３０２を制御し、コードレス電話親機１００との無線通信が起動すると、キャリア番号０、１、２、３、４、９の第１のキャリア周波数群、及び、第２のキャリア周波数群に属するキャリア周波数（キャリア番号）が使用可能であることをコードレス電話親機１００に通知し、無線通信を停止するように無線部３０１、フレーム処理部３０２を制御する。そして、フローはステップ７１１に進む。
【００９５】
ステップ７１１において、制御部３２０は、登録済みの全ての子機情報の読み込みを行う。すなわち、子機情報記憶部３０３より、登録された各々の従属局（無線子機２００）のキャリア番号９の通信に対応しているか否かを示すキャリア９対応情報の読み込みを行う。そして、フローはステップ７１２に進む。
【００９６】
ステップ７１２において、制御部３２０は、第２のキャリア周波数群のキャリア周波数（キャリア番号９のキャリア周波数）を使用した通信が未対応の従属局（無線子機２００）が登録されていないかを調べる。すなわち、子機情報記憶部３０３より読み込んだそれぞれの登録済みの従属局（無線子機２００）のキャリア９対応情報の値を確認する。登録済み従属局（無線子機２００）のキャリア９対応情報が１つでもキャリア番号９のキャリア周波数を使用した通信が未対応であることを示す“ｆａｌｓｅ”であれば（ステップ７１２：Ｙｅｓ）、ステップ７１４に進み、登録済み従属局（無線子機２００）のキャリア９対応情報に“ｆａｌｓｅ”が含まれていなければ（ステップ７１２：Ｎｏ）、フローはステップ７１３に進む。
【００９７】
ステップ７１３おいて、制御部３２０は、第２の制御信号用のキャリア周波数に使用可能なキャリア周波数のキャリア番号を、第１キャリア周波数群、及び、第２キャリア周波数群に含まれる全てのキャリア周波数に対応した番号、すなわち、０、１、２、３、４、９の６つに設定する。そして、フローはステップ７２０に進む。
【００９８】
ステップ７１４おいて、制御部３２０は、第２の制御信号用のキャリア周波数に使用可能なキャリア周波数のキャリア番号を、第１キャリア周波数群に含まれる全てのキャリア周波数に対応した番号、すなわち、０、１、２、３、４の５つに設定する。そして、フローはステップ７２０に進む。
【００９９】
ステップ７２０では、ドアホン親機３００は、親機識別情報、通信用のキャリア番号（０、１、２、３、４、９）、動作モード（通常モード）等を報知する第２の制御信号の送信を行いながら、従属局（無線子機２００）からの位置登録の通信を待ち受ける通常モードの起動を行う。制御部３２０は、フレーム内の１つのスロットで第２の制御信号の送信を行い（以下、第２の制御信号を送信するスロットを制御スロットと呼ぶ）、制御スロット以外のスロット（以下、待ち受けスロットと呼ぶ）で、受信を行うように、無線部３０１、フレーム処理部３０２を制御する。このとき、第２の制御信号は、ステップ７１３、または、ステップ７１４で設定されたキャリア番号の中から選択された１つのキャリア番号に対応したキャリア周波数で送信される。なお、ステップ７０３でコードレス電話親機１００との同期が確立している場合には、制御部３２０は、コードレス電話親機１００から送信される第１の制御信号を受信しているスロット（以下、制御信号受信スロットと記す）の受信を継続し、コードレス電話親機１００との同期を維持しながら、制御信号受信スロットを除いたスロットを使用して、１つスロットで第２の制御信号を送信し、他のスロットで受信を行うように無線部３０１、フレーム処理部３０２を制御する。また、待ち受けスロットでは、フレーム毎にキャリア番号０、１、２、３、４、９のキャリア周波数の信号を受信するように、フレーム毎に受信周波数を切り替えながら、無線子機２００からの信号を持ち受けると共に妨害波のレベル検知を行う。また、ステップ７２０では、第２の制御信号の干渉妨害を回避するための第２の制御信号の移動の処理が行われる。制御部３２０は、定期的に第２の制御信号の送信を停止し、制御スロットで、第２の制御信号の送信に使用していたキャリア周波数での受信を行うように無線部３０１、フレーム処理部３０２を制御し、制御スロットにおける妨害波のレベルを検知する。そして、制御部３２０は、待ち受けスロットで検知した各キャリア周波数と各スロットの組合せにおける妨害波のレベルと制御スロットにおける妨害波のレベルを比較し、最も妨害波のレベルが低いステップ７１３、または、ステップ７１４で設定されたキャリア番号に対応する各キャリア周波数とスロットの組合せを選択して、選択したスロットで選択したキャリア周波数の第２の制御信号の送信を再開するように、無線部３０１、フレーム処理部３０２を制御する。
【０１００】
また、ステップ７２０において、ドアホン親機３００は、来客通知の動作を行う。制御部３２０は、玄関子機部３１０で呼び出し操作が行なわれたことを検知すると、玄関子機部３１０で撮影された映像信号を室内のモニタに表示し、報知音を鳴らすよう表示部３０５、報知部３０６を制御し、第２の制御信号で来客通知中であることを報知し、玄関子機部３１０で撮影された映像信号を載せた無線信号の送信を開始するように玄関子機部３１０、無線部３０１、フレーム処理部３０２を制御する。また、ドアホン親機３００がコードレス電話の従属局として登録されていた場合、制御部３２０は、親機情報記憶部３０４に記憶されていたコードレス電話親機１００のキャリア９対応情報に基づいて、コードレス電話親機１００との通信に使用可能なキャリア周波数を選択し、コードレス電話親機１００との無線通信を起動するように無線部３０１、フレーム処理部３０２を制御し、コードレス電話親機１００との無線通信が起動すると、コードレス電話親機１００に来客通知を行う。そして、待ち受けスロットにおいて無線通信の起動要求を受信すると無線通信を開始するように無線部３０１、フレーム処理部３０２を制御する。そして、制御部３２０は、無線子機２００、または、ドアホン親機３００からの応答操作が行われたことが通知されると、音声通話を行うように音声部３０９を制御し、通話終了が通知されると、来客通知の動作、無線通信、音声通話を停止するように玄関子機部３１０、音声部３０９、無線部３０１、フレーム処理部３０２を制御する。
【０１０１】
また、ステップ７２０において、ドアホン親機３００は、待ち受けスロットにおいて無線通信の起動要求を受信すると無線通信を開始するように無線部３０１、フレーム処理部３０２を制御し、無線子機２００からメッセージを受信する。そして、受信したメッセージが、送信元の無線子機２００の使用可能なキャリア周波数（キャリア番号）を通知するメッセージであれば、子機情報記憶部３０３の送信元の無線子機２００に対応したキャリア９対応情報を更新する。例えば、無線子機２００から、キャリア番号０、１、２、３、４に対応したキャリア周波数が使用可能であると通知された場合、子機情報記憶部３０３の送信元の無線子機２００に対応したキャリア９対応情報に“ｆａｌｓｅ”を書き込み、無線子機２００から、キャリア番号０、１、２、３、４、９に対応したキャリア周波数が使用可能であると通知された場合、子機情報記憶部３０３の送信元の無線子機２００に対応したキャリア９対応情報に“ｔｒｕｅ”を書き込む。また、受信したメッセージが、コードレス電話の親機識別情報であり、親機情報記憶部３０４の親機識別情報がＡＬＬ０であれば、親機情報記憶部３０４の親機識別情報に通知された親機識別情報を書き込み、親機識別情報が無線子機２００から通知されたものであることを記憶する。そして、メッセージの受信が終了すると、無線通信を停止するように無線部３０１、フレーム処理部３０２を制御し、フローはステップ７２１に進む。
【０１０２】
ステップ７２１において、制御部３２０は、子機情報が更新されたかの判定を行う。すなわち、ステップ７２０での無線子機２００との通信において子機情報記憶部３０３のキャリア９対応情報が更新されたかを判定する。キャリア９対応情報が更新されていた場合（ステップ７２１：Ｙｅｓ）、ステップ７１１に進み、キャリア９対応情報が更新されていなかった場合（ステップ７２１：Ｎｏ）、フローはステップ７２２に進む。
【０１０３】
ステップ７２２において、制御部３２０は、親機情報が更新されたかの判定を行う。すなわち、ステップ７２０での無線子機２００との通信において親機情報記憶部３０４の親機識別情報が更新されたかを判定する。親機識別情報が更新されていた場合（ステップ７２２：Ｙｅｓ）、ステップ７０１に進み、親機識別情報が更新されていなかった場合（ステップ７２２：Ｎｏ）、フローはステップ７２０に進む。
【０１０４】
なお、ステップ７０５での使用可能なキャリア周波数（キャリア番号）の通知は、例えば、ＤＥＣＴ方式の通信プロトコルでは、位置登録要求のメッセージ（ＬＯＣＡＴＥ−ＲＥＱＥＳＴ）でＩＷＵ間のメッセージを伝達する情報要素（ＩＷＵ−ＴＯ−ＩＷＵ）を用いて通知される。
【０１０５】
また、ステップ７２０での親機識別情報、通信用のキャリア番号の報知は、ＤＥＣＴ方式の通信プロトコルでは、Ｄｕｍｍｙ  ｂｅａｒｅｒと呼ばれる信号で報知され、４０ビットの親機識別情報は、Ｉｄｅｎｔｉｔｉｅｓ  ｉｎｆｏｍａｔｉｏｎ（ＮＴ）で報知され、通信用のキャリア番号は、Ｓｙｓｔｅｍ  ｉｎｆｏｍａｔｉｏｎ  ａｎｄ  ｍｕｌｔｉｆｒａｍｅ  ｍａｒｋｅｒ（ＱＴ）のｓｔａｔｉｃ  ｓｙｓｔｅｍ  ｉｎｆｏのＲＦ−ｃａｒｒｉｅｒｓと呼ばれる信号で報知される。
【０１０６】
以上で、第１実施形態における無線通信システムのドアホン親機の動作についての説明を終了する。
【０１０７】
次に、第１実施形態における無線通信システムのドアホン親機３００に無線子機２００を登録する動作についての説明を行う。
【０１０８】
図８は、第１実施形態における無線通信システムのドアホン親機３００の無線子機登録動作の動作例を示すフローチャートである。
【０１０９】
図８に示す無線子機登録動作は、上述の図７、ステップ７２０で操作部３０８にて無線子機２００の登録モードを起動する操作が行われた際に起動される動作である。ステップ７２０で操作部３０８にて無線子機２００の登録モードを起動する操作が行われると、フローはステップ８０１に進む。
【０１１０】
ステップ８０１おいて、制御部３２０は、第２の制御信号用のキャリア周波数に使用可能なキャリア周波数のキャリア番号を、第１キャリア周波数群に含まれる全てのキャリア周波数に対応した番号、すなわち、０、１、２、３、４の５つに設定する。そして、フローはステップ８０２に進む。
【０１１１】
ステップ８０２では、ドアホン親機３００は、親機識別情報、通信用のキャリア番号（０、１、２、３、４、９）、動作モード（子機登録モード）等を報知する第２の制御信号の送信を行いながら、従属局（無線子機２００）からの子機登録要求を待ち受ける子機登録モードの起動を行う。制御部３２０は、ステップ８０１で設定されたキャリア番号に対応するキャリア周波数の中から選択されたキャリア周波数で第２の制御信号の送信を行い、待ち受けスロットで従属局（無線子機２００）からの子機登録要求の受信を行うように、無線部３０１、フレーム処理部３０２を制御する。すなわち、制御部３２０は、ステップ７２０の待機状態において、第２のキャリア周波数群に属するキャリア周波数（キャリア番号９に対応するキャリア周波数）で第１の制御信号の送信を行っていた場合、ステップ８０２に遷移後、待ち受けスロットで検知された各キャリア周波数と各スロットの組合せにおける妨害波のレベルを比較し、最も妨害波のレベルが低いステップ８０１で設定されたキャリア番号に対応する各キャリア周波数（第１のキャリア周波数群に属するキャリア周波数）とスロットの組合せを選択して、選択したスロットで選択したキャリア周波数の第２の制御信号の送信を送信するように、無線部３０１、フレーム処理部３０２を制御する。また、制御部３２０は、ステップ８０２に遷移すると、表示部３０５で無線子機登録中であることを表示し、報知部３０６で無線子機登録中であることを報知するように制御を行う。そして、待ち受けスロットにおいて無線通信の起動要求を受信すると無線通信を開始するように無線部３０１、フレーム処理部３０２を制御する。子機登録のシーケンスが完了すると、無線通信を切断し子機登録の動作を停止するように、無線部３０１、フレーム処理部３０２、表示部３０５、報知部３０６を制御し、フローはステップ８０３に進む。なお、ステップ８０２において、予め決められた時間以内に無線子機２００との子機登録のシーケンスを完了できなかった場合には、フローはステップ７１１に進む（図示せず）。
【０１１２】
ステップ８０３において、ドアホン親機３００は、子機情報の更新を行う。すなわち、制御部３２０は、子機登録のシーケンス中に通知された子機識別情報を子機情報記憶部３０３に書き込み、当該無線子機２００に対応したキャリア９対応情報に“ｆａｌｓｅ”を書き込む。そして、子機登録の処理を終了し、図７、ステップ７２０の待機状態に復帰する。
【０１１３】
なお、ステップ８０３においてドアホン親機３００と無線子機２００間で行われる無線通信は、例えば、ＤＥＣＴ方式の通信プロトコルでは、子機登録（Ｏｂｔａｉｎｉｎｇ  ａｃｃｅｓｓ  ｒｉｇｈｔｓ）のための無線通信であり、子機登録要求のメッセージ（ＡＣＣＥＳＳ−ＲＩＧＨＴ−ＲＥＱＥＳＴ）、子機登録応答のメッセージ（ＡＣＣＥＳＳ−ＲＩＧＨＴ−ＡＣＣＥＰＴ）が送受信される。
【０１１４】
以上で、第１実施形態における無線通信システムのドアホン親機３００に無線子機２００を登録する動作についての説明を終了する。
【０１１５】
次に、第１実施形態における無線通信システムのドアホン親機３００をコードレス電話親機に登録する動作についての説明を行う。
【０１１６】
図９は、第１実施形態における無線通信システムのドアホン親機のコードレス電話登録動作の動作例を示すフローチャートである。
【０１１７】
図９に示すコードレス電話登録動作は、上述の図７、ステップ７２０で操作部３０８にてコードレス電話親機１００への登録モードを起動する操作が行われた際に起動される動作である。ステップ７２０で操作部３０８にてードレス電話１００への登録モードを起動する操作が行われると、フローはステップ９０１に進む。
【０１１８】
ステップ９０１において、子機登録モードで動作中の制御局（コードレス電話親機１００）のサーチを行い。当該制御局との同期を確立する。制御部３２０は、受信周波数を順次変えながら連続受信を行うように、無線部３０１、フレーム処理部３０２を制御する。このとき、制御部３２０は、制御局のサーチを行う受信周波数として、キャリア番号０、１、２、３、４、９の第１のキャリア周波数群、及び、第２のキャリア周波数群に属するキャリア周波数を順次選択し、選択したキャリア周波数の無線信号を受信し、シンクワードに基づいて受信信号から、親機識別情報、動作モードを取り出し、子機登録モードで動作中の制御局（コードレス電話親機１００）を検出し、当該制御局に同期してフレーム、スロットの受信を行うように無線部３０１、フレーム処理部３０２を制御する。そして、フローはステップ９０２に進む。なお、ステップ９０２において、予め決められた時間以内に登録モード中の制御局との同期を確立できなかった場合には、フローはステップ７１１に進む（図示せず）。
【０１１９】
ステップ９０２において制御部３２０は、同期した制御局（コードレス電話親機１００）より送信される制御信号（第１の制御信号）の受信を継続し、当該制御局との通信に使用可能なキャリア周波数の情報を受信する。そして、制御部３２０は、受信した当該制御局との通信に使用可能なキャリア周波数の情報に基づいて通信用のキャリア周波数を選択し、同期した制御局（コードレス電話親機１００）との無線通信を起動し、子機登録のシーケンスを起動し、子機識別符号として自己の親機識別情報を通知し、相互の認証を行うなどして、子機登録を行い、無線通信を停止するように無線部３０１、フレーム処理部３０２を制御する。そして、制御部３２０は、親機情報記憶部３０４に、受信した親機識別情報、当該制御局との通信に使用可能なキャリア周波数の情報（キャリア９対応情報）を書き込み、親機識別情報が子機登録によってかかれたことを書き込む。そして、フローは、上述の図７のステップ７０５に進む（図示せず）。
【０１２０】
なお、ステップ９０２において制御局（コードレス電話親機１００）とドアホン親機３００間で行われる無線通信は、例えば、ＤＥＣＴ方式の通信プロトコルでは、子機登録（Ｏｂｔａｉｎｉｎｇ  ａｃｃｅｓｓ  ｒｉｇｈｔｓ）のための無線通信であり、子機登録要求のメッセージ（ＡＣＣＥＳＳ−ＲＩＧＨＴ−ＲＥＱＥＳＴ）、子機登録応答のメッセージ（ＡＣＣＥＳＳ−ＲＩＧＨＴ−ＡＣＣＥＰＴ）が送受信される。
【０１２１】
以上で、第１実施形態における無線通信システムのドアホン親機３００をコードレス電話親機に登録する動作についての説明を終了する。
【０１２２】
次に、使用可能なキャリア周波数が異なる機器を組み合わせて第１実施形態における無線通信システムが構成された場合の動作について説明を行う。なお、以下の説明で使用する各シーケンス図では、そのメッセージの送信で使用可能な送信周波数に対応するキャリア番号を“送信キャリア：”に続く番号で記載している。
【０１２３】
先ず、キャリア番号０、１、２、３、４、９のキャリア番号に対応したキャリア周波数で通信を行うコードレス電話親機１００と無線子機２００、キャリア番号０、１、２、３、４のキャリア番号に対応したキャリア周波数で通信を行うドアホン親機３００を組み合わせて使用し、ドアホン親機３００がコードレス電話親機１００の子機として登録されない場合の動作について説明を行う。
【０１２４】
図１０は、第１実施形態における６キャリア対応のコードレス電話親機１００と無線子機、及び、５キャリア対応のドアホン親機による動作例を示すシーケンス図である。
【０１２５】
図１０は、コードレス電話親機１００、ドアホン親機３００共に、無線子機２００の登録がない状態から、無線子機２００がコードレス電話親機１００に登録され、無線子機２００がドアホン親機１００に登録された場合のシーケンスを示している。
【０１２６】
図１０に示すよう、通常モードで動作中、コードレス電話親機１００は、キャリア番号０、１、２、３、４、９のキャリア番号に対応したキャリア周波数の中から選ばれた1つのキャリア周波数を選択して制御信号の送信を行っている（シーケンス１１０１）。なお、制御信号では、親機識別情報、使用可能なキャリア周波数のキャリア番号、動作モード（通常モードで動作中）を通知する制御信号が、繰り返し送信される（図示せず）。
【０１２７】
通常モードの待機中に子機登録モード起動の操作が行われると（シーケンス１１０２）、子機登録モードが起動され、コードレス電話親機１００は、キャリア番号０、１、２、３、４のキャリア番号に対応したキャリア周波数の中から選ばれた１つのキャリア周波数を選択して制御信号の送信を行う（シーケンス１１０３）。このとき、コードレス電話親機１００は、キャリア番号０、１、２、３、４の５つキャリア番号から選ばれたキャリア番号に対応するキャリア周波数を使用して、親機識別情報、使用可能なキャリア周波数のキャリア番号、動作モード（登録モードで動作中）を通知する制御信号を、繰り返し送信する（図示せず）。
【０１２８】
一方、無線子機２００で、コードレス電話親機用の子機登録モードが起動されると（シーケンス１２０１）、キャリア番号０、１、２、３、４、９に対応したキャリア周波数で連続受信を行い、登録モード中のコードレス電話親機をサーチする。そして、登録モード中のコードレス電話親機１００の制御信号を受信すると（シーケンス１２０２）、コードレス電話親機１００との時分割多重通信の同期を確立し、受信した使用可能キャリアで通知されたキャリア周波数の中からキャリア周波数を選択して、コードレス電話親機１００との無線通信を起動し子機登録要求を送信する（シーケンス１２０３）。
【０１２９】
子機登録要求を受信すると、コードレス電話親機１００は、子機登録の認証シーケンスを起動し、相互認証のための認証演算用乱数、認証演算結果等の送受信を行い（シーケンス１１０４）、子機登録認証シーケンスを正しく終了すると、子機登録を受け付けたことを通知する子機登録受付けのメッセージを、無線子機２００に送信する（シーケンス１１０５）。
【０１３０】
無線子機２００は、子機登録の認証シーケンスが完了し（シーケンス１２０４）、子機登録受付けのメッセージを受信すると（シーケンス１２０５）、位置登録要求のメッセージを送信し、キャリア番号９のキャリア周波数での通信に対応していることを通知する（シーケンス１２０６）。
【０１３１】
位置登録要求を受信すると（シーケンス１１０６）、コードレス電話親機１００は、位置登録の認証シーケンスを起動し、認証演算用乱数、認証演算結果等の送受信を行い（シーケンス１１０７）、位置登録認証シーケンスを正しく終了すると、位置登録を受け付けたことを通知する位置登録受付けのメッセージを、無線子機２００に送信する（シーケンス１１０８）。そして、キャリア番号９のキャリア周波数での通信に対応していることの通知を受けて、キャリア番号０、１、２、３、４、９に対応したキャリア周波数での制御信号の送信を開始する（シーケンス１１０９）。
【０１３２】
無線子機２００は、位置登録の認証シーケンスが完了し（シーケンス１２０７）、位置登録受付けのメッセージを受信すると（シーケンス１２０８）、コードレス電話１００から送信される制御信号の受信を継続し、同期を維持し、コードレス電話親機の従属局としての待ち受け動作を開始する（シーケンス１２０９）。
【０１３３】
次に、ドアホン親機３００との登録動作を説明する。
【０１３４】
図１０に示すよう、通常モードで動作中、ドアホン親機３００は、キャリア番号０、１、２、３、４のキャリア番号に対応したキャリア周波数の中から選ばれた１つのキャリア周波数を選択して制御信号の送信を行っている（シーケンス１３０１）。なお、制御信号では、親機識別情報、使用可能なキャリア周波数のキャリア番号、動作モード（通常モードで動作中）を通知する制御信号が、繰り返し送信される（図示せず）。
【０１３５】
通常モードの待機中に子機登録モード起動の操作が行われると（シーケンス１３０２）、子機登録モードが起動され、ドアホン親機３００は、キャリア番号０、１、２、３、４のキャリア番号に対応したキャリア周波数の中から選ばれた１つのキャリア周波数を選択して制御信号の送信を行う（シーケンス１３０３）。このとき、コードレス電話親機１００は、キャリア番号０、１、２、３、４の５つキャリア番号から選ばれたキャリア番号に対応するキャリア周波数を使用して、親機識別情報、使用可能なキャリア周波数のキャリア番号、動作モード（登録モードで動作中）を通知する制御信号を、繰り返し送信する（図示せず）。
【０１３６】
一方、無線子機２００で、ドアホン親機３００用の子機登録モードが起動されると（シーケンス１２１１）、キャリア番号０、１、２、３、４、９に対応したキャリア周波数で連続受信を行い、登録モード中のドアホン親機３００をサーチする。そして、登録モード中のドアホン親機３００の制御信号を受信すると（シーケンス１２１２）、ドアホン親機３００との時分割多重通信の同期を確立し、受信した使用可能キャリアで通知されたキャリア周波数の中からキャリア周波数を選択して、ドアホン親機３００との無線通信を起動し子機登録要求を送信する（シーケンス１２１３）。
【０１３７】
子機登録要求を受信すると（シーケンス１３１３）、ドアホン親機３００は、子機登録の認証シーケンスを起動し、相互認証のための認証演算用乱数、認証演算結果等の送受信を行い（シーケンス１３１４）、子機登録認証シーケンスを正しく終了すると、子機登録を受け付けたことを通知する子機登録受付けのメッセージを、無線子機２００に送信する（シーケンス１３１５）。
【０１３８】
無線子機２００は、子機登録の認証シーケンスが完了し（シーケンス１２１４）、子機登録受付けのメッセージを受信すると（シーケンス１２１５）、位置登録要求のメッセージを送信し、キャリア番号９のキャリア周波数での通信に対応していることを通知し（シーケンス１２１６）、コードレス電話親機１００の親機識別情報を通知するメッセージを送信する（シーケンス１２１７）。
【０１３９】
ドアホン親機３００は、位置登録要求を受信し（シーケンス１３１６）、コードレス電話親機１００の親機識別情報を通知するメッセージを受信すると（シーケンス１３１７）、位置登録の認証シーケンスを起動し、認証演算用乱数、認証演算結果等の送受信を行い（シーケンス１３１８）、位置登録認証シーケンスを正しく終了すると、位置登録を受け付けたことを通知する位置登録受付けのメッセージを、無線子機２００に送信する（シーケンス１３１９）。そして、コードレス電話親機１００の親機識別情報の通知を受けて、制御信号の送信を停止し、キャリア番号０、１、２、３、４に対応したキャリア周波数で連続受信を行うコードレス電話親機のサーチを開始する。
【０１４０】
無線子機２００は、ドアホン親機３００との位置登録の認証シーケンスが終了し（シーケンス１２１８）、位置登録受付けのメッセージを受信すると（シーケンス１２１９）、キャリア番号０、１、２、３、４、９に対応したキャリア周波数で連続受信を行うコードレス電話親機のサーチを開始する。そして、コードレス電話親機１００の制御信号を受信すると、コードレス電話親機１００との同期を確立し、位置登録要求のメッセージを送信し、キャリア番号９のキャリア周波数での通信に対応していないことを通知する（シーケンス１２２１）。
【０１４１】
コードレス電話親機１００は、位置登録要求を受信すると（シーケンス１１２１）、位置登録の認証シーケンスを起動し、認証演算用乱数、認証演算結果等の送受信を行い（シーケンス１１２２）、位置登録認証シーケンスを正しく終了すると、位置登録を受け付けたことを通知する位置登録受付けのメッセージを、無線子機２００に送信する（シーケンス１１２３）。そして、キャリア番号９のキャリア周波数での通信に対応していないことの通知を受けて、キャリア番号０、１、２、３、４に対応したキャリア周波数での制御信号の送信を開始する（シーケンス１１２４）。
【０１４２】
無線子機２００は、シーケンス１２２１にて位置登録要求のメッセージを送信し、キャリア番号９のキャリア周波数での通信に対応していないことを通知した後、コードレス電話親機１００との位置登録の認証シーケンスが終了し（シーケンス１２２２）、位置登録受付けのメッセージを受信すると（シーケンス１２２３）、コードレス電話親機１００の制御信号の受信を継続し（シーケンス１２２４）、コードレス電話親機１００との同期を維持して、コードレス電話親機１００の制御信号を受信しているスロットを除く各スロットで、キャリア番号０、１、２、３、４、９に対応したキャリア周波数で受信を行うドアホン親機のサーチを開始する。
【０１４３】
キャリア番号０、１、２、３、４に対応したキャリア周波数で連続受信を行うコードレス電話親機のサーチを行っていたドアホン親機３００は、コードレス電話親機１００から送信される制御信号を受信すると（シーケンス１３３０）、コードレス電話親機１００との同期を確立し、コードレス電話親機１００から送信される制御信号の受信を継続し、同期を維持し、制御信号の送信を開始する（シーケンス１３３１）。
【０１４４】
コードレス電話親機１００の制御信号の受信しながら、ドアホン親機３００の制御信号のサーチを行っていた無線子機２００は、ドアホン親機３００から送信される制御信号を受信すると（シーケンス１２３１）、コードレス電話親機１００の制御信号の受信とドアホン親機３００から送信される制御信号の受信を継続して行うように動作する（図示せず）。
【０１４５】
上述のように、５つのキャリア周波数で動作するドアホン親機３００は、無線子機２００から通知された親機識別情報をもつコードレス電話親機１００の制御信号に同期して制御信号の送信を行い、６つのキャリア周波数で動作するコードレス電話親機１００は、無線子機２００から通知されたキャリア周波数を除く５つのキャリア周波数で制御信号を送信するように動作するので、６キャリア対応のコードレス電話親機１００と無線子機２００、及び、５キャリア対応のドアホン親機３００を組み合わせ、ドアホン親機３００をコードレス電話親機１００に登録せずに動作させても、使用可能なキャリア周波数の違いによる障害が発生しない。
【０１４６】
以上で、キャリア番号０、１、２、３、４、９のキャリア番号に対応したキャリア周波数で通信を行うコードレス電話親機１００と無線子機２００、キャリア番号０、１、２、３、４のキャリア番号に対応したキャリア周波数で通信を行うドアホン親機３００を組み合わせて使用し、ドアホン親機３００がコードレス電話親機１００の子機として登録されない場合の動作について説明を終了する。
【０１４７】
次に、キャリア番号０、１、２、３、４、９のキャリア番号に対応したキャリア周波数で通信を行うコードレス電話親機１００とドアホン親機３００、キャリア番号０、１、２、３、４のキャリア番号に対応したキャリア周波数で通信を行う無線子機２００を組み合わせて使用し、ドアホン親機３００がコードレス電話親機１００の子機として登録された場合の動作について説明を行う。
【０１４８】
図１１は、第１実施形態における６キャリア対応のコードレス電話親機１００とドアホン親機３００、及び、５キャリア対応の無線子機２００による動作例を示すシーケンス図である。
【０１４９】
図１１は、コードレス電話親機１００、ドアホン親機３００共に、無線子機２００の登録がない状態から、ドアホン親機３００がコードレス電話親機１００に登録され、無線子機２００がドアホン親機１００に登録され、それぞれの子機登録完了後に、ドアホン親機３００にて、来客通知の動作が起動された場合のシーケンスを示している。なお、無線子機２００がドアホン親機１００に登録する動作で、上述の図１０と同じシーケンスとなる部分は、同じシーケンス番号を付して説明を簡略化する。
【０１５０】
図１１に示すよう、通常モードで動作中、コードレス電話親機１００は、キャリア番号０、１、２、３、４、９のキャリア番号に対応したキャリア周波数の中から選ばれた１つのキャリア周波数を選択して制御信号の送信を行っている（シーケンス２１０１）。なお、制御信号では、親機識別情報、使用可能なキャリア周波数のキャリア番号、動作モード（通常モードで動作中）を通知する制御信号が、繰り返し送信される（図示せず）。
【０１５１】
通常モードの待機中にドアホン親機３００を従属局として登録するための子機登録モード起動の操作が行われると（シーケンス２１０２）、子機登録モードが起動され、コードレス電話親機１００は、キャリア番号０、１、２、３、４のキャリア番号に対応したキャリア周波数の中から選ばれた１つのキャリア周波数を選択して制御信号の送信を行う（シーケンス２１０３）。このとき、コードレス電話親機１００は、キャリア番号０、１、２、３、４の５つキャリア番号から選ばれたキャリア番号に対応するキャリア周波数を使用して、親機識別情報、使用可能なキャリア周波数のキャリア番号、動作モード（登録モードで動作中）を通知する制御信号を繰り返し送信する（図示せず）。
【０１５２】
ドアホン親機３００は、キャリア番号０、１、２、３、４、９のキャリア番号に対応したキャリア周波数の中から選ばれた１つのキャリア周波数を選択して制御信号の送信を行っている（シーケンス１３０１）、そして、ドアホン親機３００で、コードレス電話親機の従属局として登録するための子機登録モードが起動されると（シーケンス２３０１）、制御信号の送信を停止し、キャリア番号０、１、２、３、４、９に対応したキャリア周波数で連続受信を行い、登録モード中のコードレス電話親機をサーチする。そして、登録モード中のコードレス電話親機１００の制御信号を受信すると（シーケンス２３０３）、コードレス電話親機１００との時分割多重通信の同期を確立し、受信した使用可能キャリアで通知されたキャリア周波数の中からキャリア周波数を選択して、コードレス電話親機１００との無線通信を起動し子機登録要求を送信する（シーケンス２３０４）。
【０１５３】
コードレス電話親機１００は、子機登録要求を受信すると（シーケンス２１０４）、子機登録の認証シーケンスを起動し、相互認証のための認証演算用乱数、認証演算結果等の送受信を行い（シーケンス２１０５）、子機登録認証シーケンスを正しく終了すると、子機登録を受け付けたことを通知する子機登録受付けのメッセージを、ドアホン親機３００に送信する（シーケンス２１０６）。
【０１５４】
ドアホン親機３００は、子機登録の認証シーケンスが完了し（シーケンス２３０５）、子機登録受付けのメッセージを受信すると（シーケンス２３０６）、位置登録要求のメッセージを送信し、キャリア番号９のキャリア周波数での通信に対応していることを通知する（シーケンス２３０７）。
【０１５５】
コードレス電話親機１００は、位置登録要求を受信すると（シーケンス２１０７）、位置登録の認証シーケンスを起動し、認証演算用乱数、認証演算結果等の送受信を行い（シーケンス２１０８）、位置登録認証シーケンスを正しく終了すると、位置登録を受け付けたことを通知する位置登録受付けのメッセージを、ドアホン親機３００に送信する（シーケンス２１０９）。そして、キャリア番号９のキャリア周波数での通信に対応していることの通知を受けて、キャリア番号０、１、２、３、４、９に対応したキャリア周波数での制御信号の送信を開始する（シーケンス２１１０）。
【０１５６】
ドアホン親機３００は、位置登録の認証シーケンスが完了し（シーケンス２３０８）、位置登録受付けのメッセージを受信すると（シーケンス２３０９）、コードレス電話１００から送信される制御信号の受信を継続し、同期を維持し、コードレス電話親機の従属局としての待ち受け動作を開始する（シーケンス２３１０）。そして、ドアホン親機３００は、キャリア番号０、１、２、３、４、９のキャリア番号に対応したキャリア周波数の中から選ばれた１つのキャリア周波数を選択して制御信号の送信を再開する(シーケンス２３１１)。
【０１５７】
次に、ドアホン親機３００に、無線子機２００の子機登録を行うシーケンスについて説明する。
【０１５８】
上述の図１０での説明と同様に、無線子機２００で、ドアホン親機３００用の子機登録モードが起動されると（シーケンス１２１１）、ドアホン親機３００のサーチが起動され、ドアホン親機３００に同期し（シーケンス１２１２）、子機登録のシーケンス（シーケンス１２１３、シーケンス１２１４、シーケンス１２１５）、位置登録のシーケンス（シーケンス１２１６、シーケンス１２１７、シーケンス１２１８、シーケンス１２１９）が実行される。そして、位置登録完了後、ドアホン親機３００の制御信号受信を継続し、同期を維持し、ドアホン動作の待機状態となる（シーケンス２２２０）。なお、このとき、図１１の例では、無線子機２００は、キャリア９に対応するキャリア周波数での通信に対応していないので、無線子機２００は、キャリア番号０、１、２、３、４に対応したキャリア周波数で連続受信によってドアホン親機３００の制御信号のサーチを行い、図１１のシーケンス１２１６では、キャリア番号９のキャリア周波数での通信に対応していないことを通知する位置登録要求のメッセージを送信する。また、無線子機２００は、コードレス電話親機１００への子機登録を行っていないので、図１１のコードレス電話親機１００の親機識別情報を通知するメッセージを送信するシーケンス１２１７では、親機識別情報としてＡＬＬ０を通知する。
【０１５９】
一方、ドアホン親機３００では、上述の図１０での説明と同様に、通常モードの待機中に子機登録モード起動の操作が行われると（シーケンス１３０２）、子機登録モードが起動され、ドアホン親機３００は、コードレス電話親機１００の制御信号を受信し、同期を維持しながら、キャリア番号０、１、２、３、４のキャリア番号に対応したキャリア周波数の中から選ばれた１つのキャリア周波数を選択して制御信号の送信を行う（シーケンス１３０３）。そして、上述の図１０での説明と同様に、子機登録のシーケンス（シーケンス１３１３、シーケンス１３１４、シーケンス１３１５）、位置登録のシーケンス（シーケンス１３１６、シーケンス１３１７、シーケンス１３１８、シーケンス１３１９）が実行される。そして、図１１のシーケンス１３１６では、キャリア番号９のキャリア周波数での通信に対応していないことが通知されたので、位置登録完了後、コードレス電話親機１００の制御信号を受信し、同期を維持しながら、キャリア番号０、１、２、３、４のキャリア番号に対応したキャリア周波数の中から選ばれた１つのキャリア周波数を選択して制御信号の送信を行う（シーケンス２３２０）。また、ドアホン親機３００は、自らがコードレス電話親機１００に子機登録を行っているので、図１１のシーケンス１３１７で無線子機２００より通知されたコードレス電話親機１００の親機識別情報は無視される。
【０１６０】
次に、来客通知の動作について説明する。
【０１６１】
玄関子機部３１０で呼び出し操作が行われると、ドアホン親機３００は、来客通知の制御を開始する(シーケンス２３１１)。
【０１６２】
ドアホン親機３００は、来客通知の制御を開始すると、キャリア番号０、１、２、３、４のキャリア番号に対応したキャリア周波数で送信している制御信号で来客通知を報知する（シーケンス２３１２）。そして、キャリア番号０、１、２、３、４のキャリア番号に対応したキャリア周波数の中から選ばれたキャリア周波数を使用して玄関子機部３１０で撮影された映像信号を載せた無線信号の送信を開始する（シーケンス２３１３）。以後、来客通知の制御信号の送信と映像データの送信が継続される（図示せず）。なお、映像信号を載せた無線信号を送信しているスロット、キャリア番号は、上述の来客通知の制御信号の一部のデータとして送信される。
【０１６３】
また、ドアホン親機３００は、来客通知の制御を開始すると、キャリア番号０、１、２、３、４、９のキャリア番号に対応したキャリア周波数より１つのキャリアを選択し、コードレス電話親機１００との無線通信を起動し、呼接続要求を送信する（シーケンス２３１４）。そして、呼接続応答を受信すると（シーケンス２３１５）、情報通知用のメッセージで来客通知を送信する（シーケンス２３１６）。
【０１６４】
一方、無線子機２００は、来客通知の制御信号を受信し、映像信号を載せた無線信号のスロット、キャリア番号が通知されると（シーケンス２２１２）、通知されたスロットで通知されたキャリア番号に応じたキャリア周波数での受信を開始し（シーケンス２２１３）、来客通知を報知する報知音を鳴らし、受信した映像の再生を開始する。
【０１６５】
また、コードレス電話親機１００は、無線通信が起動され、呼接続要求を受信すると（シーケンス２１１４）、呼接続応答を送信し（シーケンス２１１５）、情報通知用のメッセージで来客通知を受信すると（シーケンス２１１６）、来客通知を報知する報知音を鳴らし、来客中であることを表示する。
【０１６６】
上述のように、ドアホン親機３００は、ドアホン親機３００から通知される使用可能なキャリア情報に基づいて、ドアホン親機３００との通信を行い、無線子機２００から通知される通知される使用可能なキャリア情報に基づいて、制御信号で使用するキャリア周波数を決定するので６キャリア対応のコードレス電話親機１００とドアホン親機３００、及び、５キャリア対応の無線子機２００を組み合わせて動作させても、使用可能なキャリア周波数の違いによる障害が発生しない。同様に、５キャリア対応のコードレス電話親機１００、６キャリア対応のドアホン親機３００と無線子機２００を組み合わせて動作させても、使用可能なキャリア周波数の違いによる障害が発生しない。
【０１６７】
以上で、キャリア番号０、１、２、３、４、９のキャリア番号に対応したキャリア周波数で通信を行うコードレス電話親機１００とドアホン親機３００、キャリア番号０、１、２、３、４のキャリア番号に対応したキャリア周波数で通信を行う無線子機２００を組み合わせて使用し、ドアホン親機３００がコードレス電話親機１００の子機として登録された場合の動作について説明を終了する。
【０１６８】
以上、本発明を、その好適実施形態の実施例について説明したが、当業者であれば容易に理解できるように、本発明はこのような実施例により限定されるものではなく、本発明の趣旨を逸脱しない範囲で適宜変更可能である。例えば、本実施の形態では、第１の制御局としてコードレス電話親機、第２の制御局としてドアホン親機を例に動作説明を行ったが、第１の制御局がドアホン親機、第２の制御局がコードレス電話親機であってもよい。また、第１の制御局、第２の制御局は、センサやカメラが接続されたホームオートメーションネットワークの制御局であってもよい。また、上記実施形態に示した構成要素は必ずしも全てが必須なものではなく、本発明の趣旨を逸脱しない限りにおいて適宜取捨選択することが可能である。
【産業上の利用可能性】
【０１６９】
本発明に係る無線通信装置は、複数のキャリア周波数から１つのキャリア周波数を選択して無線通信を行う無線通信システムとして有用である。
【符号の説明】
【０１７０】
１００  コードレス電話親機
１０１  無線部
１０２  フレーム処理部
１０３  子機情報記憶部
１０５  表示部
１０６  報知部
１０８  操作部
１１０  回線制御部
１２０  制御部
２００  無線子機
２０１  無線部
２０２  フレーム処理部
２０３  親機情報記憶部
２０５  表示部
２０６  報知部
２０８  操作部
２０９  音声部
２２０  制御部
３００  ドアホン親機
３０１  無線部
３０２  フレーム処理部
３０３  子機情報記憶部
３０４  親機情報記憶部
３０５  表示部
３０６  報知部
３０８  操作部
３０９  音声部
３１０  玄関子機部
３２０  制御部
【図１】
2020065182.tif 000004
【図２】
2020065182.tif 000005
【図３】
2020065182.tif 000006
【図４】
2020065182.tif 000007
【図５】
2020065182.tif 000008
【図６】
2020065182.tif 000009
【図７】
2020065182.tif 000010
【図８】
2020065182.tif 000011
【図９】
2020065182.tif 000012
【図１０】
2020065182.tif 000013
【図１１】
2020065182.tif 000014